(57)【要約】  無線通信環境における配備帯域幅の一部に相当する１つの又はそれより多い周波数キャリアでの無線通信システムにおける信号取得を容易にするシステム及び方法が記述される。全システム大域幅の一部分だけを含むキャリアを用いて通信することにより、１つのキャリアでの通信のために用いられるチャンネルは、全帯域幅にわたる通信のために用いられるチャンネルよりも分散が少なくてもよい。従って、システム内の装置のために必要とされる送信電力の量が低減されうる。更に、キャリアは、各キャリアがコンポーネント周波数レスポンスに対するフェーデイングの影響を最小限にするのに十分なだけ大きく、それによりシステム性能を更に最適化するように、配備システム帯域幅から分割されてもよい。
2009544178.tif 000002
【特許請求の範囲】
【請求項１】
取得信号の複数のシンボルを生成すること、
前記取得信号の送信を、１つの又はそれより多いキャリアの帯域幅の全て又は全てより少ないに等しいサブキャリアのある数に割当てることを備える、
無線通信システムにおいて取得情報を生成しかつ送信するための方法。
【請求項２】
前記１つの又はそれより多いキャリアは、複数のキャリアから選択され、かつ該複数のキャリアは、帯域幅の実質的に非重複の部分に対応する、請求項１の方法。
【請求項３】
前記複数のキャリアは、前記無線通信システムにおける実質的に全ての使用可能な帯域幅を備える、請求項２の方法。
【請求項４】
前記複数のキャリアは、前記無線通信システムのセクタにおける実質的に全ての使用可能な帯域幅を備える、請求項２の方法。
【請求項５】
前記１つの又はそれより多いキャリアのそれぞれは、５１２のサブキャリア及び５ＭＨｚの帯域幅を備える、請求項２の方法。
【請求項６】
前記１つの又はそれより多いキャリアは、２５６のサブキャリア及び２．５ＭＨｚの帯域幅を備える、請求項２の方法。
【請求項７】
前記１つの又はそれより多いキャリアは、１２８のサブキャリア及び１．２５ＭＨｚの帯域幅を備える、請求項２の方法。
【請求項８】
前記複数のキャリアは、７つの利用されるキャリア及び１つの利用されないキャリアであり、前記取得信号の送信を割当てることは、前記７つの利用されるキャリアに対する予め定められた周波数再使用プランに従って前記７つの利用されるキャリアの１つにおけるサブキャリアの全て又は全てより少ないサブキャリアに前記取得信号の送信を割当てることを含む、請求項２の方法。
【請求項９】
前記複数のキャリアは７つのキャリアであり、前記取得信号の送信を割当てることは、前記７つのキャリアに対する予め定められた周波数再使用プランに従って前記７つのキャリアの１つにおける前記サブキャリアの全て又は全てより少ないサブキャリアに前記取得信号の送信を割当てることを含む、請求項２の方法。
【請求項１０】
前記取得信号は、少なくとも１つの放送チャンネルに関する情報を含む、請求項１の方法。
【請求項１１】
前記取得信号の送信を割当てることは、ホップ・シーケンスに少なくとも部分的に基づいて、ある数のサブキャリアに前記取得信号の送信を割当てることを含む、請求項１の方法。
【請求項１２】
前記取得信号を前記割当てられたキャリアでアクセス端末に送信することを更に備える、請求項１の方法。
【請求項１３】
前記取得信号の送信を割当てることは、前記取得信号をスーパーフレーム・プリアンブルで送信することを含む、請求項１２の方法。
【請求項１４】
前記アクセス端末との通信のために用いられるべき１つの又はそれより多いキャリアをスケジュールすること、
前記スケジュールされたキャリアの１つ又はそれより多くを用いて前記アクセス端末と通信することを更に備える、請求項１２の方法。
【請求項１５】
前記１つの又はそれより多いキャリアをスケジュールすることは、
前記アクセス端末からアクセス要求を受信すること、
前記アクセス要求に少なくとも部分的に基づいて、前記アクセス端末との通信のために１つの又はそれより多いキャリアをスケジュールすること、
前記１つの又はそれより多いスケジュールされたキャリアに対する割当てを前記アクセス端末に送信することを含む、請求項１４の方法。
【請求項１６】
前記アクセス端末から受信される前記アクセス要求は、前記アクセス端末が１つよい多いキャリアで通信できるかどうかの表示を含む、請求項１５の方法。
【請求項１７】
前記１つの又はそれより多いキャリアをスケジュールすることは、前記表示が負であれば前記アクセス端末との通信のための１つのキャリアをスケジュールし、前記表示が正であれば前記アクセス端末との通信のための複数のキャリアをスケジュールすることを含む、請求項１６の方法。
【請求項１８】
前記アクセス端末との通信のための第２の組の１つの又はそれより多いキャリアをスケジュールすること、
前記アクセス端末との通信のための前記第２の組の１つの又はそれより多いキャリアに対する割当てを含みチェンジ・キャリア・メッセージを前記アクセス端末に送信すること、
前記第２の組のキャリアからの１つの又はそれより多いスケジュールされたキャリアを用いて前記アクセス端末と通信することを更に備える、請求項１５の方法。
【請求項１９】
取得信号及び使用可能なシステム帯域幅の実質的に非重複の部分に対応する複数のキャリアに関するデータを記憶するメモリと、
前記取得信号の送信を前記複数のキャリアの１つ又はそより多くの全て又は一部に割当てるように構成されたプロセッサとを備える、無線通信装置。
【請求項２０】
前記メモリは、識別コードに関するデータを更に記憶し、前記プロセッサは、前記識別コードの関数に少なくとも部分的に基づいて前記取得信号の送信を割当てるように更に構成される、請求項１９の無線通信装置。
【請求項２１】
前記識別コードは擬似雑音（ＰＮ）シーケンスである、請求項２０の無線通信装置。
【請求項２２】
前記識別コードは、ウオルシュ・シーケンスである、請求項２０の無線通信装置。
【請求項２３】
使用可能なシステム帯域幅を複数のキャリアに分割するための手段と、
前記複数のキャリアの１つ又はそれより多くを用いて、取得情報を端末に送信するための手段とを備える、無線通信ネットワークにおける信号取得を容易にする装置。
【請求項２４】
前記取得情報は、少なくとも１つの放送チャンネルに関する情報を含む、請求項２３の装置。
【請求項２５】
前記取得情報を送信するための手段は、前記複数のキャリアの１つ又はそれより多くのそれぞれに対するホップ・シーケンスに少なくとも部分的に基づいて、前記複数のキャリアの１つ又はそれより多くに前記取得情報の送信を割当てるための手段を含む、請求項２３の装置。
【請求項２６】
無線通信環境において取得のための情報を生成しかつ送信するためのコンピュータ実行可能命令を記憶されたコンピュータ可読媒体であって、前記命令は、
使用可能なシステム帯域幅を、それぞれ複数のサブキャリア及び前記システム帯域幅の一部に等しい帯域幅を備える複数のキャリアに分割すること、
取得信号に対する複数のシンボルを生成すること、
前記複数のキャリアの少なくとも１つにおける１つの又はそれより多いサブキャリアのある数で前記取得信号を送信することを備える、コンピュータ可読媒体。
【請求項２７】
前記複数のシンボルを生成することは、取得情報、干渉情報、及びパイロットの１つ又はそれより多くを含む、請求項２６のコンピュータ可読媒体。
【請求項２８】
取得情報を送信するためのコンピュータ実行可能命令を実行するプロセッサであって、前記命令は、
第１の取得信号及び第２の取得信号を生成すること、
使用可能なシステム帯域幅の一部を備えるキャリアで前記第１の取得信号を第１のアクセス端末に送信すること、
使用可能なシステム帯域幅の一部を備えるキャリアで前記第２の取得信号を第２のアクセス端末に送信することを備える、プロセセッサ。
【請求項２９】
前記第１のアクセス端末からの第１のアクセス要求を及び前記第２のアクセス端末からの第２のアクセス要求を受信すること、
前記第１のアクセス要求に少なくとも部分的に基づいて前記第１のアクセス端末をキャリアに割当てること、
前記第２のアクセス要求に少なくとも部分的に基づいて前記第２のアクセス端末を複数のキャリアに割当てることを更に備える、請求項２６のプロセッサ。
【請求項３０】
前記第１のアクセス端末は、該第１のアクセス端末が複数のキャリアで通信できないことを示す前記第１のアクセス要求における情報に基づいて、キャリアに割当てられ、かつ、前記第２のアクセス端末は、該第２のアクセス端末が複数のキャリアで通信できることを示す前記第２のアクセス要求における情報に基づいて、複数のキャリアに割当てられる、請求項２９のプロセッサ。
【請求項３１】
無線通信システムにおける通信のための情報を取得するための方法であって、
それぞれ１つの又はそれより多いサブキャリア及び使用可能なシステム帯域幅の一部を備える少なくとも２つのキャリアで取得信号を検知することを試みること、
前記取得信号が検知されるキャリアに少なくとも部分的に基づいて、情報がアクセスポイントによって通信される将来のキャリアを判定することを備える、方法。
【請求項３２】
各キャリアは、５１２のサブキャリア及び５ＭＨｚの帯域幅を備える、請求項３１の方法。
【請求項３３】
各キャリアは、２５６のサブキャリア及び２．５ＭＨｚの帯域幅を備える、請求項３１の方法。
【請求項３４】
各キャリアは、１２８のサブキャリア及び１．２５ＭＨｚの帯域幅を備える、請求項３１の方法。
【請求項３５】
前記将来のキャリアを判定することは、ホップ・シーケンスに少なくとも部分的に基づいて、情報が通信される将来のキャリアを判定することを含む、請求項３１の方法。
【請求項３６】
複数のキャリアに関するデータを記憶するメモリと、
前記複数のキャリアでの取得信号の検知を試みるようにそして前記取得信号が検知されるキャリアに少なくとも部分的に基づいて、セクタによって情報が通信される将来のキャリアを判定するように構成されるプロセッサとを備える、無線通信装置。
【請求項３７】
前記プロセッサは、ホップ・シーケンスに少なくとも部分的に基づいて、将来のキャリアを判定するように更に構成される、請求項３６の無線通信装置。
【請求項３８】
前記取得信号は、前記セクタのための識別子を含み、かつ前記ホップ・シーケンスは、前記セクタのための識別子の関数である、請求項３７の無線通信装置。
【請求項３９】
前記セクタのための識別子は、擬似雑音（ＰＮ）シーケンスである、請求項３８の無線通信装置。
【請求項４０】
前記セクタのための識別子は、ウオルシュ・シーケンスである、請求項３８の無線通信装置。
【請求項４１】
複数のキャリアに対応するシステム帯域幅で取得信号を検知するための手段と、
前記取得信号が検知されるキャリアに少なくとも部分的に基づいて、アクセスポイントとの通信のためのキャリアを判定するための手段とを備える、無線通信ネットワークにおける信号取得を容易にする装置。
【請求項４２】
無線通信環境における通信のための情報を取得するためのコンピュータ実行可能命令を記憶したコンピュータ可読媒体であって、前記命令は、
少なくとも２つのキャリアに等しい帯域幅にわたってアクセスポイントによって送信される取得信号を検知すること、
前記取得信号に少なくとも部分的に基づいて、前記アクセスポイントとの通信のためのキャリアを判定することを備える、コンピュータ可読媒体。
【請求項４３】
無線通信システムにおいて通信するためのコンピュータ実行可能命令を実行するプロセスであって、前記命令は、
前記無線通信システムのセクタから送信される信号を受信すること、
前記取得信号が受信されたキャリアに少なくとも部分的に基づいて、前記セクタとの通信のための１つの又はそれより多いキャリアを判定すること、
前記通信のために判定された１つの又はそれより多いキャリアを用いることに少なくとも部分的により、前記セクタと通信することを備える、プロセッサ。
【請求項４４】
前記セクタと通信することは、
前記通信のために判定された１つの又はそれより多いキャリアで前記セクタにアクセス要求を送信すること、
アクセス許可及び通信のための少なくとも１つの新しく割当てられるキャリアを前記セクタから受信すること、
通信のための前記新しく割当てられるセクタの少なくとも１つを用いて前記セクタと通信することを含む、請求項４３のプロセッサ。
【発明の詳細な説明】
【技術分野】
【０００１】
本発明は、一般的には無線通信に関し、さらに詳細には、無線通信システムにおける信号取得のための技法に関する。
【背景技術】
【０００２】
無線通信システムは、世界の人々の大多数が通信する有力な手段となっている。更に、携帯電話のような無線通信装置は、消費者のニーズを満足させるため及び携帯性と便利性を改善するために、より小型にそしてより強力になっている。この処理能力の増大が、無線ネットワーク伝送システムの要求性能の増大をもたらしている。しかし、このようなシステムは通常、それで通信する携帯装置のようには容易に更新されない。移動装置能力が拡張するにつれて、新規かつ改良された無線装置能力を十分に開発するのを容易にする態様で旧い無線ネットワーク・システムを維持することは困難となるおそれがある。
【０００３】
例えば、無線通信システムは通常、システム配備帯域幅（system deployment bandwidth）からのチャンネルの形態で伝送リソースを生成する。より新しくて、より強力な移動装置をサポートする多くのネットワークにおける場合のように、大きい帯域幅がネットワークに配備される場合には、無線通信システムにおいて信号取得性能のような十分なシステム性能を強制することは従来から困難であった。例えば、大きい帯域幅を有するシステムにおけるコンポーネントの周波数応答は、フェーデイング及び（又は）他の要因により帯域幅にわたって大きく変化する可能性がある。通常、この周波数応答の変化は、より広いチャンネルの生成を必要とする。しかし、より広いチャンネルは、分散的となることが多く、このことが所定のチャンネル上での通信のために必要な伝送電力の量を大きく増加させる可能性がある。
【発明の開示】
【発明の概要】
【０００４】
下記は、開示された実施の形態についての基本的な理解を提供するために、その実施の形態の簡略した概要を提示する。この概要は、全ての意図された実施の形態についての完璧な概観ではなく、基本的な又は重要な要素を識別することも、その実施の形態の範囲を明確することも意図されていない。それの唯一の目的は、後で提示される更に詳細な記述への序文として、開示された実施の形態のいくつかの概念を簡略化された形で提示することである。
【０００５】
説明される実施の形態は、無線通信システムに対して配備される帯域幅を複数のキャリアに分割することによって、上記の問題を緩和する。システム内の各装置は、信号取得を実行することができ、あるいは１つの又はそれより多いキャリアに対応する配備された帯域幅の一部を用いて他の方法で通信することができる。全システム帯域幅の一部だけを含むキャリアを用いて通信することによって、１つのキャリアにおける通信のために用いられるチャンネルは、全帯域幅にわたる通信のために用いられるチャンネルよりも分散が少なくてもよい。従って、システム内の装置のために必要とされる送信電力量が軽減されうる。更に、キャリアは、各キャリアがコンポーネント周波数レスポンスに対するフェーデイング（fading）の影響を最小限にするのに十分なだけ大きくなるように配置システム帯域幅から分割されて、それによりシステム性能を更に最適化するようになされうる。
【０００６】
１つの態様によれば、無線通信システムにおいて取得情報を生成しかつ送信するための方法がここに提供される。この方法は、取得信号の複数のシンボルを生成することを備える。更に、この方法は、１つの又はそれより多いキャリアの帯域幅の全て又は全てより小さいに等しい数のサブキャリアに取得信号の送信を割当てることを含んでもよい。
【０００７】
他の態様は、取得信号及び使用可能なシステム帯域幅の実質的に非重複の部分に対応した複数のキャリアに関するデータを記憶するメモリを含んでもよい無線通信装置に関する。無線通信装置は、複数のキャリアの１つ又はそれより多くの全て又は一部に取得信号を割当てるように構成されたプロセッサを更に含んでもよい。
【０００８】
更に他の態様は、無線通信ネットワークにおける信号取得を容易にする装置に関する。この装置は、使用可能なシステム帯域幅を複数のキャリアに分割するための手段を備えてもよい。更に、この装置は、複数のキャリアの１つ又はそれより多くを用いて、取得情報を端末に送信するための手段を含んでもよい。
【０００９】
更に他の態様は、無線通信環境において取得のための情報を生成しかつ送信するためのコンピュータ実行可能命令を記憶されたコンピュータ可読媒体に関する。その命令は、使用可能なシステム帯域幅を、それぞれ複数のサブキャリア及びシステム帯域幅の一部に等しい帯域幅を備える複数のキャリアに分割することを備えてもよい。更に、その命令は、取得信号のための複数のシンボルを生成することを含んでもよい。更に、その命令は、複数のキャリアの少なくとも１つにおける１つの又はそれより多いサブキャリアのいくつかで取得信号を送信することを含んでもよい。
【００１０】
他の態様によれば、取得情報を送信するためのコンピュータ実行可能命令を実行できるプロセッサがここに提供される。その命令は、第１の取得信号及び第２の取得信号を生成することを備えてもよい。更に、その命令は、使用可能なシステム帯域幅の一部を備えたキャリアで第１の取得信号を第１のアクセス端末に送信することを備えてもよい。更に、その命令は、使用可能なシステム帯域幅の一部を備えたキャリアで第２の取得信号を第２のアクセス端末に送信することを含んでもよい。
【００１１】
更に他の態様によれば、無線通信システムにおける通信のための情報を取得するための方法がここに提供される。この方法は、それぞれ１つの又はそれより多いサブキャリア及び使用可能なシステム大域幅の一部を備えた少なくとも２つのキャリアで取得信号を検知することを試みることを備えてもよい。更に、この方法は、取得信号が検知されるキャリアに少なくとも部分的に基づいてアクセスポイントによって情報が通信される将来のキャリアを判定することを含んでもよい。
【００１２】
他の態様は、複数のキャリアに関するデータを記憶するメモリを備えてもよい無線通信装置に関する。この無線通信装置はまた、複数のキャリアにおける取得信号の検知を試みるようにかつ情報がセクタによって通信される将来のキャリアを取得信号が検知されるキャリアに少なくとも部分的に基づいて判定するように構成されたプロセッサを含んでもよい。
【００１３】
更に他の態様は、無線通信ネットワークにおける信号取得を容易にする装置に関し、この装置は、複数のキャリアに対応するシステム帯域幅で取得信号を検知するための手段を備えてもよい。この装置は、アクセスポイントとの通信のためのキャリアを、取得信号が検知されるキャリアに少なくとも部分的に基づいて判定するための手段を更に備えてもよい。
【００１４】
更に他の態様は、無線通信環境における通信のための情報を取得するためのコンピュータ実行可能命令を記憶されたコンピュータ可読媒体に関する。その命令は、少なくとも２つのキャリアに等しい帯域幅にわたってアクセスポイントによって送信される取得信号を検知することを含んでもよい。更に、その命令は、アクセスポイントとの通信のためのキャリアを、取得信号に少なくとも部分的に基づいて判定することを含んでもよい。
【００１５】
他の態様によれば、無線通信システムにおける通信のためのコンピュータ実行可能命令を実行しうるプロセッサがここに記述される。その命令は、無線通信システムのセクタから送信される取得信号を受信することを備えてもよい。更に、その命令は、セクタとの通信のための１つの又はそれより多いキャリアを、取得信号が受信されたキャリアに少なくとも部分的に基づいて判定することを備えてもよい。更に、その命令は、通信のために判定された１つの又はそれより多いキャリアを用いることに少なくとも部分的によって、セクタと通信することを備えてもよい。
【００１６】
上記の及び関連する目的の達成のために、１つの又はそれより多い実施の形態は、後で十分に説明されかつ請求項において特に指摘される特徴を備える。下記の説明及び添付図面は、開示された実施の形態のある例示態様を詳細に示す。しかし、これらの態様は、種々の実施の形態の原理が用いられうる種々の方法のうちの幾つかだけを示している。更に、開示された実施の形態は、このような態様の全て及びそれらの均等を含むように意図されている。
【詳細な説明】
【００１７】
種々の実施の形態が、同様の参照番号が全体にわたって同様の要素を示すために用いられている図面を参照して説明される。下記の説明では、説明の目的で、１つの又はそれより多い態様についての完全な理解を与えるために、多くの明確な詳細が提示される。しかし、このような実施の形態は、これらの明確な詳細が無くても実施されうることが明らかであろう。他の場合には、１つの又はそれより多い実施の形態を記述するのを容易にするために、公知の構造及び装置がブロック図形式で示される。
【００１８】
本願で用いられている「コンポーネント」、「モジュール」、「システム」等の用語は、ハードウエア、ファームウエア、ハードウエアとソフトウエアの組み合わせ、ソフトウエア、又は実行中のソフトウエアのようなコンピュータ関連の実体を意味するものと意図されている。例えば、コンポーネントは、プロセッサ上で走るプロセス、プロセッサ、オブジェクト、実行可能、実行のスレッド、プログラム及び（又は）コンピュータであってもよいが、それに限定されない。実例として、計算装置上で走るアプリケーションとその計算装置は両方ともコンポーネントでありうる。１つの又はそれより多いコンポーネントが、プロセス及び（又は）実行のスレッド内に存在していてもよく、また１つのコンポーネントが１つのコンピュータ上に局在されてもよく、かつ（又は）２つの又はそれより多いコンピュータ間に分配されてもよい。更に、これらのコンポーネントは、種々のデータ構造を記憶された種々のコンピュータ可読媒体から実行できる。これらのコンポーネントは、１つの又はそれより多いデータ・パケットを有する信号（例えば、ローカルシステム、分散システムにおける及び（又は）その信号による他のシステムとのインターネットのようなネットワークにわたる他のコンポーネントと対話する１つのコンポーネントからのデータ）によるようなローカル及び（又は）リモートのプロセスによって通信してもよい。
【００１９】
更に、無線端末及び（又は）ベース・ステーションに関連して種々の実施の形態がここに記述される。無線端末は、音声及び（又は）データ接続性をユーザに与える装置を指してもよい。無線端末は、ラップトップ・コンピュータ又はデスクトック・コンピュータのような計算装置に接続されてもよく、あるいは携帯用情報機器（PDA）のような自蔵装置であってもよい。無線端末は、システム、加入者ユニット、加入者ステーション、移動ステーション、移動遠隔ステーション、アクセスポイント、遠隔端末、アクセス端末、ユーザ端末、ユーザ・エージェント、ユーザ・デバイス、又はユーザ・イクイップメントと呼ばれることもある。無線端末は、加入者ステーション、無線装置、携帯電話、PCS電話、コードレス電話、セッション・イニシエーション・プロトコル（SIP）電話、無線ローカル・ループ、携帯用情報機器（PDA）、無線接続能力を有するハンドヘルド装置、又は無線モデムに接続された他の処理装置であってもよい。ベース・ステーション（例えば、アクセスポイント）は、１つの又はそれより多いセクタを通じて無線インタフェース（air-interface）によって無線端末と通信するアクセス・ネットワーク内の装置を指してもよい。ベース・ステーションは、受信された無線インタフェース・フレームをIPパケットに変換することによって、無線端末とインターネット・プロトコル（IP）ネットワークを含んでいてもよいアクセス・ネットワークの残部との間のルータとして作用する。ベース・ステーションは、無線インタフェースに対する属性の管理を調整する。
【００２０】
更に、ここに記載された種々の態様又は特徴は、標準的なプログラミング及び（又は）エンジニアリング技法を用いる製造方法、製造装置、又は製造物品として実装されてもよい。ここで用いられる「製造物品」（”article of manufacture”）という用語は、任意のコンピュータ読取り可能装置、キャリア、又は媒体からアクセス可能なコンピュータ・プログラムを包含するものと意図されている。例えば、コンピュータ可読媒体は、磁気記憶装置（例えば、ハードデイスク、フロッピイ・デイスク、磁気ストリップ）、光デイスク（例えば、コンパクトデイスク（ＣＤ）、デジタル・バーサタイル・デイスク（ＤＶＤ）、スマートカード、及びフラッシュ・メモリ装置（例えば、カード、ステイック、キー・ドライブ）を含んでもよいが、それらに限定されない。
【００２１】
種々の実施の形態が、多数の装置、コンポーネント、モジュール等を含みうるシステムに関して提示されるであろう。これらの種々のシステムは付加的な装置、コンポーネント、モジュール等を含んでいてもよく、かつ（又は）図面に関連して論述される装置、コンポーネント、モジュール等の全てを含んでいなくてもよいことが理解されかつ認識されるべきである。これらのアプローチの組み合わせが用いられてもよい。
【００２２】
図面を参照すると、図１は種々の態様による無線多重アクセス通信システム１００の図解である。１つの実例では、無線多重アクセス通信システム１００は、多重ベース・ステーション１１０及び多重端末１２０を含む。更に、１つの又はそれより多いステーション１１０は、１つの又はそれより多い端末１２０と通信することができる。非限定の例として、ベース・ステーション１１０は、アクセスポイント、ノードＢ、及び（又は）他の適当なネットワーク・エンテイテイであってもよい。各ベース・ステーション１１０は、特定の地理的領域に対する通信カバレージ１０２を与える。ここで用いられかつ技術的に一般に用いられているように、「セル」（”cell”）という用語は、この用語が用いられる状況に応じてベース・ステーション１１０及び（又は）それのカバレージ・エリア（coverage area）１０２を指すことができる。
【００２３】
システム容量を改善するために、ベース・ステーション１１０に対応するカバレージ・エリア１０２は、多数の小さいエリア（例えば、エリア１０４ａ、１０４ｂ、及び１０４ｃ）に分割されてもよい。これらの小さいエリア１０４ａ、１０４ｂ、及び１０４ｃのそれぞれは、各ベース・トランシーバ・サブシステム（ＢＴＳ、図示なし）によってサーブ（served）されうる。ここで用いられかつ技術的に一般に用いられているように、「セクタ」（”sector”）という用語は、この用語が用いられる状況に応じて、ＢＴＳ及び（又は）それのカバレージ・エリアを指すことができる。１つの実例では、セル１０２においけるセクタ１０４は、ベース・ステーション１１０におけるアンテナのグループ（図示なし）によって形成されることができ、各グループのアンテナは、セル１０２の一部分における端末１２０との通信に関与する。例えば、セル１０２ａにサーブする（serving）ベース・ステーション１１０は、セクタ１０４ａに対応する第１のアンテナグループ、セクタ１０４ｂに対応する第２のアンテナグループ、およびセクタ１０４ｃに対応する第３のアンテナグループを有していてよい。しかし、ここに開示された種々の態様は、セクタ化された及び（又は）セクタ化されていないセルを有するシステムで用いられてもよいことが認識されるべきである。更に、任意の数のセクタ化された及び（又は）セクタ化されていないセルを有する全ての適当な無線通信ネットワークが、ここに添付された請求項の範囲内に入ると意図されていることが認識されるべきである。簡単のために、ここで用いられている「ベース・ステーション」（”base station”）という用語は、１つのセクタにサーブするステーションと、１つのセルにサーブするステーションとの両方を指してもよい。
【００２４】
１つの態様によれば、端末１２０は、システム１００の全体にわたって分散されうる。各端末１２０は、固定または可動であってよい。非限定の例として、端末１２０は、アクセス端末（ＡＴ）、移動ステーション、ユーザ・イクイップメント（user equipment）、加入者ステーション、及び（又は）他の適当なネットワーク・エンテイテイであってもよい。端末１２０は、無線装置、携帯電話、携帯用情報機器（ＰＤＡ）、無線モデム、ハンドヘルド装置、又は他の適当な装置であってよい。更に、端末１２０は、任意所定の時点において任意の数のベース・ステーション１１０と通信していてもよく、あるいはベース・ステーション１１０とは通信していなくてもよい。
【００２５】
他の実例では、システム１００は、１つの又はそれより多いベース・ステーション１１０に結合さることができかつベース・ステーション１１０に対して調整及び制御を与えることができるシステム・コントローラ１３０を用いることによって集中アーキテクチャ（centralized architecture）を利用することができる。他の態様によれば、システム・コントローラ１３０は、単一のネットワーク・エンテイテイであってもよく、あるいはネットワーク・エンテイテイの集合であってもよい。更に、システム１００は、必要に応じてベース・ステーション１１０を互いに通信させるために分散アーキテクチャを利用してもよい。１つの実例では、システム・コントローラ１３０は、多重ネットワークに対する１つの又はそれより多い接続を付加的に含んでいてもよい。これらのネットワークは、インターネット、他のパケット・ベース・ネットワーク、及び（又は）システム１００における１つの又はそれより多いベース・ステーション１１０と通信する端末１２０へ及び（又は）その端末１２０から情報を提供しうる回路切替音声ネットワークを含んでいてもよい。他の実例では、システム・コントローラ１３０は、端末１２０への及び（又は）端末１２０からの送信をスケジュールするスケジューラ（図示なし）を含んでもよく、あるいはそのスケジューラと結合されてもよい。あるいは、そのスケジューラは、各個別のセル、各セクタ１０４、又はそれらの組み合わせ内に存在してもよい。
【００２６】
１つの態様によれば、各セクタ１０４は、複数のキャリアの１つ又はそれ以上を利用して動作できる。１つの実例では、各キャリアは、システム１００が動作できる大きな帯域幅の一部分である。あるいは、各キャリアは、通信のために使用可能なシステム帯域幅の一部分であってよい。他の態様によれば、単一のセクタ１０４は、１つまたはそれより多いキャリアを利用してもよく、かつ任意所定の時間間隔においてセクタ１０４によって利用されるキャリアのそれぞれに対してスケジュールされた多数の端末１２０を有してもよい（例えば、物理層フレーム又はスーパーフレーム）。
【００２７】
更に、１つまたはそれより多い端末１２０は、各端末１２０の能力に応じて同時に多数のキャリアでスケジュールされうる。１つの実例では、これらの能力は、予め取り決められたセッション情報に含まれてもよく、あるいは、端末１２０が通信を取得しようとしているときに生成されるセッション情報の一部であってもよい。セッション情報は、端末１２０に質問することによって又は端末１２０の能力をそれの送信を通じて判定することによって生成されうるセッション識別トークン（session identification token）を備えることができる。あるいは、これらの能力は、端末１２０によって送信される識別情報の一部であってよい。端末１２０の能力は、他の任意適当なアプローチに従って確立されてもよい。
【００２８】
他の態様によれば、取得信号は、所定のスーパーフレームの１つのキャリアに対してだけに提供されてもよい。更に、取得信号は、スーパーフレーム・プリアンブル（superframe preamble）に提供されてもよい。取得信号のために用いられるキャリアは、例えば、ホップ・シーケンス（hop sequence）に基づいて時間と共に変化してもよい。取得信号を１つのキャリアに縮小すると、端末１２０による取得のために遭遇される分散効果が軽減されうる。更に、各ベース・ステーション１１０が異なるホップ・シーケンス又はパターンを有することができる例では、取得信号の衝突の可能性が低下され、端末１２０による取得能力を改善する。更に、システム１００は、物理セクタ１０４を含むものとして例示されているが、他のアプローチが利用されてもよいことが認識されるべきである。例えば、１つのセル１０２の異なる領域をそれぞれカバーしうる多数の固定された「ビーム」（”beams”）が、物理セクタ１０４に代えて、又は物理セクタ１０４と組み合わせて、利用されてもよい。このようなアプローチは、全体が参照としてここに取り入れられた「セル方式における適応セクタ化」（“ADAPTIVE SECTORIZATION IN CELLULAR SYSTEMS”）というタイトルの２００５年１０月２７日に提出だれた同時継続の米国特許出願第11/269,895号に図示されかつ開示されている。
【００２９】
図２は、ここに記載された種々の態様に従って、無線通信環境における信号取得を容易にするシステムのブロック図である。１つの実例では、システム２００は、１つのアクセスポイント２１０及び複数のアクセス端末２２０を含む。簡潔のためにシステム２００には図示されていないが、システム２００は、複数のアクセスポイント２１０を含んでもよい。１つの態様によれば、アクセスポイント２１０は、それぞれ１つの又はそれより多いアクセス端末２２０と通信しうる１つの又はそれより多いアンテナ２１４及び（又は）２１６を備えうる１つの又はそれより多いアンテナグループ２１２を含んでいてもよい。例えば、システム２２０に示されているように、アンテナグループ２１２１はＲ個のアンテナ２１４を含み、そしてアンテナグループ２１２ＮはＴ個のアンテナ２１６を含む。１つの実例では、アクセスポイント２１０は、１つのセル（例えば、１つのセル１０２）にサーブする（serve）ことができ、そしてアクセスポイント２１０内の各アンテナグループ２１２は、そのセル内の１つのセクタ（例えば、セクタ１０４）にサーブすることができる。
【００３０】
他の態様によれば、システム２００での通信のために使用可能な帯域幅は、複数のキャリアに分割可能である。各アクセスポイント２１０及び（又は）１つのアクセスポイント２１０における各アンテナグループ２１２は、アクセス端末２２０と通信するためにキャリアの１つ以上を利用できる。この通信は、例えば、アクセス端末への１つの又はそれより多い取得パイロット及び（又は）放送チャンネルの送信を含んでもよい。各キャリアは、各アクッセスポイント２１０において利用可能であり、あるいは、各アクセスポイント２１０は、使用可能なキャリアのサブセットを使用できる。同様に、アクセスポイント２１０における各アンテナグループ２１２は、アクセスポイント２１０によって提供されるキャリアの全て又はそれらのキャリアのサブセットを使用できる。システム２００において利用されるキャリアは、各アクセスポイント２１０及び（又は）１つのアクセスポイント２１０内のアンテナグループ２１２に対して特有（ユニーク）であってもよく、あるいは、１つより多いアクセスポイント２１０及び（又は）アンテナグループ２１２は、特定のキャリアを使用してもよい。
【００３１】
他の態様によれば、アクセスポイント２１０における各アンテナ２１４及び２１６によって送信される取得信号、放送チャンネル及び（又は）他の通信は、１つの又はそれより多いアクセス端末２２０により、対応するアンテナ２２２を経由して受信されうる。各アクセス端末２２０には１つのアンテナ２２２しか図示されていないが、各アクセス端末２２０は任意の数のアンテナ２２２を有していてもよいことが認識されるべきである。更に、１つのアクセス端末２２０における各アンテナ２２２は、１つの又はそれより多いアクセスポイント２１０、１つのアクセスポイント２１０内のアンテナグループ２１２、及び（又は）他のアクセス端末２２０との通信のために使用されうる。１つの実例では、各アクセス端末２２０は、システム２００によって利用される１つのキャリアにおける１つのアクセスポイント２１０から取得信号を受信できる。取得信号がアクセス端末２２０によって受信されるキャリアは予め定められていてもよく、あるいは、１つの又はそれより多いアクセス端末２２０が、取得信号のためにシステム２００の全使用可能な帯域幅にわたってモニタしてもよい。
【００３２】
他の実例では、各アクセス端末２２０は、１つのアクセスポイント２１０又は１つのアクセスポイント２１０内のアンテナグループ２１２との通信のために使用されるべき１つの又はそれより多いキャリアに対する割当てを受信することができる。非限定的な例として、大きい帯域にわたって通信できる限定された能力を有するアクセス端末２２０が単一のキャリアに割当てられ、他方、さらに大きい帯域にわたって通信できるより大きい能力を有するアクセス端末２２０は複数のキャリアに割当てされうるように、割当てが行われてもよい。１つの態様によれば、この割当ては、取得信号が各アクセス端末２２０によって受信されたキャリア及び（又は）１つの又はそれより多い他のキャリアを含んでもよい。更に、各キャリアは、同時に１つの又はそれより多いアクセス端末２２０によって同時に利用されてもよい。例えば、システム２００によって示されているように、アクセス端末２２０Ｋ―１は、キャリアＮに割当てられてもよく、また、アクセス端末２２０Ｋは、キャリアＮにも割当てられてもよく、そして更に第２のキャリアＮ＋Ｒに割当てられてもよい。１つの態様によれば、シッステム２００の全帯域幅よりも総体的に小さいキャイラで通信することによって、システム２００内のチャンネル分散の効果が軽減されうる。このことは、各アクセスポイント２１０及び（又は）アクセス端末２２０に対して必要とされる送信電力を減少させ、それにより各アクセスポイント２２０の効率を増加させ、かつ（または）各アクセス端末２２０のバッテリ寿命を節約する。更に、システム帯域幅は、各キャリアがシステム性能に対するフェーデイング（fading）及び他の同様の要因の影響を最小限に抑えるの十分なだけ大きいように、分割されてもよい。特定の非限定的な実例として、システム２００は、２０ＭＨｚ帯域幅を利用してもよく、そして、各キャリアは全体の帯域幅の５ＭＨｚを含んでもよい。しかし、この実例は、１つの可能なシステム帯域幅及びシステム２００で使用できるキャリア分割を例示するにすぎないこと、そして、他の任意適当なシステム帯域幅及び（又は）キャリア分割も使用可能であることが認識されるべきである。
【００３３】
図３Ａは、周波数分割多重化（frequency division duplexing）を利用した多重アクセス無線通信システム（例えば、システム１００）のための例示スーパーフレーム構造を示している。１つの実例では、スーパーフレーム・プリアンブル（superframe preamble）３１２は、各スーパーフレーム３１０の始めで送信される。スーパーフレーム・プリアンブル３１２は、１つのキャリアまたはそれの一部分にわたっていてもよい。更に、各スーパーフレーム・プリアンブル３１２は、各スーパーフレーム３１０、予め定められた数のスーパーフレーム３１０、固定した時間間隔、又は他の適当な間隔のためにホップ（hop）してもよい。更に、各スーパーフレーム・プリアンブル３１２は、１つのアクセスポイト（例えば、アクセスポイント１１０）に対する識別に基づいて決定されうるホップ・シーケンス（hop sequence）又はパターンに従ってホップしてもよい。例えば、アクセスポイント識別は、擬似ノイズ（ＰＮ）シーケンスであってもよく、このシーケンスから、アクセス端末（例えば、端末１２０）がスーパーフレーム３１０に対するホップ・パターン又はシーケンスを決定することができる。そのアクセス端末は、次に、アクセスポイント識別に基づいて次のスーパーフレーム３１０におけるスーパーフレーム・プリアンブル３１２と関連付けられるべきキャリア及び最後のスーパーフレーム３１０におけるスーパーフレーム・プリアンブル３１２と関連付けられたキャリアを判定することができる。更に、スーパーフレーム３１０はフォワード・リンク（ＦＬ）スーパーフレームとして示されたが、スーパーフレーム３１０は、二者択一的に、リバース・リンク・スーパーフレームであってもよいことが認識されるべきである。
【００３４】
１つの実例では、送信は、一連のフレーム３１４が後に続くスーパーフレーム・プリアンブル３１２よりそれぞれ成るスーパーフレーム３１０のユニットに分割可能である。ＦＤＤ構造３０２では、リバース・リンク送信及びフォワード・リンク送信は、フォワード及びリバース・リンク上での送信が任意の周波数サブキャリア上で実質的に非重複であるように、異なる周波数を占有してもよい。他の実例では、スーパーフレーム・プリアンブル３１２は、アクセス端末によりチャンネル評価のために使用されうるパイロットを含むことができるパイロット・チャンネルを含むことができる。更に、スーパーフレーム・プリアンブル３１２は、１つのアクセス端末（例えば、端末１２０）がフォワード・リンク・フレーム３１４に含まれた情報を復調するために利用できるコンフィギュレーション情報（configuration information）を含む放送チャンネルを含むことができる。付加的に及び（又は）代替的に、スーパーフレーム・プリアンブル３１２は、タイミング及びアクセス端末が通信するための十分な他の情報のような取得情報、電力制御情報、及び（又は）オフセット情報を含んでいてもよい。従って、スーパーフレーム・プリアンブル３１２は、１つの又はそれより多い共通パイロット・チャンネル、放送チャンネル、取得パイロット・チャンネル、他のセクタ干渉チャンネル（sector interference channel）、及び（又は）他の適当なチャンネルを含むことができる。
【００３５】
他の実例では、スーパーフレーム・プリアンブル３１２は、同期化及びセクタＩＤ取得のためのパイロット・チャンネル、静的デプロイメント・パラメータ（static deployment parameters）及びシステム時間を搬送する第１の放送チャンネル、及び（又は）準静的セクタ・パラメータを搬送する第２の放送チャンネルを含んでもよい。１つの実例では、第２の放送チャンネルによって搬送される準静的セクタ・パラメータは、奇数スーパーフレーム３１０におけるフォワード・リンク・コンフィギュレーション及び偶数スーパーフレーム３１０におけるクイック・ページング・チャンネル（quick paging channel）３１０に関係付けることができる。更に、パラメータは、セクタ・ローデイング（sector loading）のような補助の動的パラメータを含んでもよい。他の実例では、第１の放送チャンネルは複数のスーパーフレーム３１０に関してコード化でき、第２の放送チャンネルは単一のスーパーフレーム３１０に関してコード化できる。
【００３６】
１つの態様によれば、スーパーフレーム・プリアンブル３１２は、ＯＦＤＭシンボルのような１つの又はそれより多いシンボルを含んでもよく、そして、スーパーフレーム・プリアンブル３１２における１つの又はそれより多いシンボルは、セクタ（例えば、セクタ１０４）間で調整されるホップ・シーケンス又はパターンに従ってホップ（hop）してもよい。例えば、ネットワークの１つの組のセクタ又はそのセクタのすべてに共通なホップ・シーケンス又はスケジューリング・スキーム（scheduling scheme）が使用されうる。他の態様によれば、第１の放送チャンネル、第２の放送チャンネル、又は第１及び第２の放送チャンネルの両方が所定のスーパーフレーム３１０においてホップ（hop）してもよい。
【００３７】
他の実例では、このシステムに対する全帯域幅が１つの又はそれより多いキャリアに分割されてもよく、また、各キャリアは、複数の周波数サブキャリア又はトーンに分割されてもよい。各セクタにおける各スーパーフレーム３１０に対して、キャリアのうちの１つが、各スーパーフレーム３１０に対応したスーパーフレーム・プリアンブル３１２をポピュレート（populate）するために使用されうる。更に、再使用係数（re-use factor）Ｋが、スーパーフレーム・プリアンブル３１２を構成するトーンに適用されうる。従って、所定のセクタ（ここではPilotPNで表されている）における所定のスーパーフレーム３１０（ここではSFidxで表されている）に対して、放送チャンネル、他のチャンネル、及び（又は）インデックスkを有するキャリアによって与えられるスーパーフレーム３１０に対するスーパーフレーム・プリアンブル３１２のシンボルは、下記のように定義されうる。ただし、0 ≦ k ≦ K である。
【００３８】
k = PilotPhase mod K
PilotPhase = (PilotPN + Sfidx) mod N           (1)
なお、PilotPN及びPilotPhaseは、所定のセクタに対するアイデンテイテイ・スクランブリング・インデックス（identity scrambling indices）又は所定のセクタを識別するために用いられる他の適当な係数であってもよく、また、ＮはPilotPhaseの予め定められた最大値に対応する。他の実例では、PilotPN及びPilotPhaseは、アクセス端末によるセクタの識別を可能にするためにスーパーフレーム・プリアンブル３１２における所定のセクタによって送信される１つの又はそれより多いパイロット信号をスクランブル（scramble）するために利用されうる。
【００３９】
他の態様によれば、多数のセクタがスーパーフレーム・プリアンブル３１２に対する共有スペクトラム（shared spectrum）を利用すう場合には、スーパーフレーム・プリアンブル３１２ではページング（paging）は行われない。例えば、多数のセクタが、スーパーフレーム・プリアンブル３１２を含むサブキャリアを共有する場合には、ページングは行われなくてもよい。更に、PilotPN1及びPilotNP2が異なるセクタの各識別である場合には、下記の式を維持することによって、ホッピング（hopping）は直交に保持されうる。
【００４０】
(PilotPN1 ― PilotPN2) mod K ≠ 0               (2)
従って、システムにおける異なるセクタ、すなわち、PilotPN mod Kの異なる値を有するセクタは異なるキャリアを利用するであろう。特定の非限定的な実例として、K = 8の再使用係数を選択しかつ利用可能システム帯域幅を８つのサブセットに分割することによって、７−セクタ周波数再使用は、式（１）に基づきシステムに対して達成されうる。PilotPN mod 7 = 0を満足する帯域幅のサブセットが割当てられずかつ７−セクタ周波数再使用が残りの７セクタに対して行われるように、周波数プラニング（frequency planning）は、PilotPNインデックスのプラニングと調和されうる。他の非限定的な実例では、K = 7の再使用係数を選択しかつ利用可能システム帯域幅を７つのサブセット（各サブセットはその後に割当てられうる）に分割することによって、７−セクタ周波数再使用が式（１）に従って達成されうる。この実例では、PilotPhaseの最大値に対応するＮの値は、７の倍数として選択されうる。１つの特定の非限定的な実例では、Ｎは511として選択されうる。
【００４１】
更に、スーパーフレーム・プリアンブル３１２の後には、フレーム３１４のシーケンスがある。各フレーム３１４は、一様な又は一様でない数のＯＦＤＭ及び送信のために同時に利用されうる一様な又は一様でない数のサブキャリアから成っていてもよい。特定の非限定的な実例として、スーパーフレーム・プリアンブル３１２は、３２のＯＦＤＭシンボルで構成され、かつ、４８のフレーム３１４によって追随され、各フレーム３１４は８つのＯＦＤＭシンボルで構成されることが可能である。他の非限定的な実例では、各スーパーフレーム・プリアンブル３１２は、１６のフレームで構成され、そして、８つのＯＦＤＭシンボルの長さである４８のフレーム３１４によって追随されることが可能である。更に、各フレーム３１４は、シンボル・レート・ホッピング・モード（symbol rate hopping mode）に従って動作することが可能であり、フォワード・リンク又はリバース・リンク上の端末に、１つの又はそれより多い連続したＯＦＤＭシンボルが割当てられる。あるいは、各フレーム３１４は、ブロック・ホッピング・モード（block hopping mode）３２０に従って動作することが可能であり、端末はＯＦＤＭのブロック内でホップ（hop）することが可能である。ブロック・ホッピング・モード３２０及びシンボル・レート・ホッピング・モード３２２の両方において、ブロック又はＯＦＤＭシンボルは、フレーム３１４の間でホップしてよく、あるいは、しなくてもよい。
【００４２】
他の態様によれば、スーパーフレーム３１０は、スーパーフレーム・プリアンブル３１２を利用しなくてもよい。１つの代案では、プリアンブルは、スーパーフレーム・プリアンブル３１２に対する同等の情報を含む１つの又はそれより多いフレーム３１４に対して提供されてもよい。他の代案では、スーパーフレーム・プリアンブル３１２の情報の幾つか又は全部を含むために、放送制御チャンネルが利用されうる。他の情報が、プリアンブル又はフレーム３１４の制御チャンネルに付加的に含まれてもよい。
【００４３】
図３Ｂは、時分割多重化（ＴＤＤ）を利用した多重アクセス無線通信システムのための例示のスーパーフレーム構造３０４を示している。１つの実例では、スーパーフレーム・プリアンブル３１２は、ＦＤＤ構造３０２におけるスーパーフレーム３１２と構成及び性能が実質的に類似した各スーパーフレームの始めで送信可能である。１つの態様によれば、ＴＤＤ構造３０４における各スーパーフレーム・プリアンブル３１２は、フォワード・リンク・フレーム３１４及びリバース・リンク・フレーム３１６のシーケンスによって追随されることが可能である。予め定められた数のフォワード・リンク・フレーム３１４が、予め定められた数のリバース・リンク・フレーム３１６の送信を許容する前に連続的に送信されるように、フォワード・リンク・フレーム３１４及びリバース・リンク・フレーム３１６は、時間的に分割されてもよい。スーパーフレーム構造３０４に示されているように、フォワード・リンク・スーパーフレーム３１０は、１つの又はそれより多いリバース・リンク・フレーム３１６の送信時に、無音時間（mute time）を経験するであろう。同様に、リバース・リンク・スーパーフレームは、フォワード・リンク・フレーム３１４の送信時に無音時間を経験するであろうことが認識されるべきである。更に、任意の数のフォワード・リンク・フレーム３１４及び任意の数のリバース・リンク・フレーム３１６が、スーパーフレーム構造３０４で連続的に送信されてもよいこと及び前記数のフレームは所定のスーパーフレーム内で又はスーパーフレーム間で変化してもよいことが認識されるべきである。
【００４４】
更に、各フォワード・リンク・フレーム３１４は、一様な又は一様でない数のＯＦＤＭシンボル及びＦＤＤ構造３０２におけるフレーム３１４と同様の態様で送信のために同時に利用されうる一様な又は一様でない数のサブキャリアより成ることが可能である。１つの実例では、各フォワード・リンク・フレーム３１４は、１つの又はそれより多い非連続のＯＦＤＭシンボルがフォワード・リンク又はリバース・リンク上の端末に割当てられるシンボル・レート・ホッピング・モード３２２に従って動作することができる。あるいは、各フォワード・リンク・フレーム３１４は、端末がＯＦＤＭシンボルのブロック内でホップできるブロック・ホッピング・モード３２０に従って動作することができる。ブロック・ホッピング・モード３２０及びシンボル・レート・ホッピング・モード３２２の両方において、シンボルは、フォワード・リンク・フレーム３１４間でホップしてもよく又はしなくてもよい。
【００４５】
１つの態様によれば、スーパーフレーム３１０は、スーパーフレーム・プリアンブル３１２を利用しなくてもよい。１つの代案では、スーパーブレーム・プリアンブル３１２に対して同等の情報を含む１つの又はそれより多いフレーム３１４に対して、プリアンブルが与えられてもよい。他の代案では、スーパーフレーム・プリアンブル３１２の幾つか又は全部を含むために、放送制御チャンネルが利用されてもよい。フレーム３１４のプリアンブル又は制御チャンネルに他の情報が付加的に含まれてもよい。
【００４６】
図４は、種々の態様による多重アクセス無線通信システム（例えば、システム１００）のための例示チャンネル構造である。１つの実例では、帯域幅４００は、システム・デザイン・パラメータによる通信のために使用可能でありうる。更に、帯域幅４００は、幾つかのキャリア４０２を含んでいてもよい。各キャリア４０２は、１つの又はそれより多いフォワード・リンク・フレーム４０４及びリバース・リンク・フレーム４０８を含んでいてもよく、それらのフレームはそれぞれ１つの又はそれより多いスーパーフレーム（例えば、スーパーフレーム３１０）の一部であってもよい。
【００４７】
１つの態様によれば、各キャリア４０２の各フォワード・リンク・フレーム４０４は、１つの又はそれより多い制御チャンネル４０６を含むことができる。例示として、制御チャンネル４０６のそれぞれは、取得アクナレッジメント（acquisition; acknowledgements）、ブロードキャスト、マルチキャスト、及びユニキャスト・メッセージ・タイプに対して同一の又は異なったシステム内の各アクセス端末（例えば、端末１２０）に対するフォワード・リンク割当て、システム内の各アクセス端末に対するリバース・リンク割当て、システム内の各アクセス端末に対するリバース・リンク電力制御、リバース・リンク・アクナレッジメント（reverse link acknowledgements）に関連した機能、及び（又は）他の適当な機能を含んでいてもよい。キャリア４０２のそれぞれにおける制御チャンネル４０６は、同一の又は異なった機能をサポートするための一様な又は一様でない情報を提供しうることが認識されるべきである。更に、制御チャンネル４０６は、キャリア４０２間で一様であるか又は一様でないかでありうるホッピング・シーケンス（hopping sequences）に従って各フォワード・リンク・フレーム４０４内でホップしてもよい。更に、各制御チャンネル４０６に対するホッピング・シーケンスは、各フォワード・リンク・フレーム４０４におけるデータ・チャンネル（図示なし）に割当てられるホッピング・シーケンスと同じであっても又は異なっていてもよい。
【００４８】
他の態様によれば、各リバース・リンク・フレーム４０８は、アクセス端末からのいくつかのリバース・リンク送信４１２〜４３０を含むことができる。リバース・リンク・フレーム４０８における各リバース・リンク送信４１２〜４３０はブロックとして、すなわち、連続のＯＦＤＭシンボルのグループとして図示されているが、各送信４１２〜４３０は、シンボル・レート・ホッピングを代替的に利用してもよく、各送信４１２〜４３０は、非連続のシンボル・ブロックに対応してもよいことが認識されるべきである。更に、各リバース・リンク・フレーム４０８は、１つの又はそれより多いリバース・リンク制御チャンネル４４０を含んでもよい。例示として、リバース・リンク制御チャンネル４４０は、フィードバック・チャンネル、リバース・リンク・チャンネル評価のためのパイロット・チャンネル、リバース・リンク送信４１２〜４３０に含まれうるアクナレッジ・チャンネル（acknowledgment channels）、及び（又は）他の適当なチャンネルを含んでもよい。更に、各リバース・リンク制御チャンネル４４０は、例えば、システム内の各アクセス端末によるフォワード・リンク及びリバース・リンク・リソース要求、チャンネル情報（例えば、異なるタイプの送信に対するチャンネル品質情報（ＣＱＩ））、チャンネル評価目的のためのアクセスポイント（例えば、ベース・ステーション）によって使用されうるアクセス端末からのパイロットに関連した機能、及び（又は）他の適当な機能に対する情報を提供することができる。１つの実例では、リバース・リンク制御チャンネル４４０は、キャリア４０２間で一様であるか又は一様でないことがありうるホッピング・シーケンスに従って各リバース・リンク・フレーム４０８においてホップすることができる。更に、各リバース・リンク制御チャンネル４４０に対するホッピング・シーケンスは、各リンク・フレーム４０８におけるデータ・チャンネル（図示なし）に割当てられるホッピング・シーケンスと同じであるか又は異なっていてもよい。
【００４９】
１つの態様によれば、リバース・リンク制御チャンネル４４０についてユーザを多重化して、各ユーザ及び（又は）リバース・リンク制御チャンネル４４０で送信される各ユニークなタイプの情報を分離するために、１つの又はそれより多い直交コード（orthogonal codes）、スクランブリング・シーケンス（scrambling sequences）、又は同様のコード及び（又は）シーケンスが利用されてもよい。１つの実例では、直交コードは、ユーザに固有であってもよい。付加的に及び（又は）代替的に、直交コードは、アクセスポイントによって、各通信セッション又はそれより短い周期（例えば、各スーパーフレーム３１０）に対する各端末に割当てられてもよい。
【００５０】
１つの実例では、いくつかのアクセス端末が単一のキャリア４０２に割当てられて、１つのスーパーフレーム又はスーパーフレームの多数のフレームで１つの端末に送られる各フォワード・リンク送信が同じキャリアに割当てられる。従って、任意の時点において帯域幅の一部を復調するだけの能力を有するアクセス端末が、１つのキャリア４０２に対応する帯域幅４００のサブセットをモニタするためだけに必要とされうる。あるいは、１つのアクセス端末が、帯域幅内のキャリア４０２の全てより少ない任意の数のキャリア４０２に割当てられてもよい。１つの実例では、所定のキャリア４０２上で動作するアクセス端末が他のキャリアに含まれた情報を参照することなしにそのキャリアの制御チャンネル４０６及び４４０によってサポートされうるようにフォワード・リンク制御チャンネル４０６及びリバース・リンク制御チャンネル４４０が各キャリアに対して十分な情報を含むようにすることによって、シングルキャリア送信がサポートされうる。所要のサポートは、各キャリア４０２のフォワード・リンク制御チャンネル４０６及びリバース・リンク制御チャンネル４４０に同等のチャンネル情報を含めることによって提供されうる。従って、１つの態様によれば、取得、割当て、アクセス、要求、電力制御、パイロット、及び報告チャンネルのうちの１つ以上がキャリア４０２のそれぞれに存在してもよい。これらのチャンネルは、例えば、スーパーフレーム・プリアンブル（例えば、スーパーフレーム・プリアンブル３１２）に提供されてもよく、かつ、１つのキャリア４０２に対するフォワード・リンク制御チャンネル４０６及び（又は）リバース・リンク制御チャンネル４４０に含まれてもよい。しかし、各キャリア４０２は上記のチャンネルを提供しうるが、実際のコード化、送信レート、メッセージ・タイプ及びタイミング、リソース割当て、オーバーヘッド・メッセージング（overhead messaging）、ホップ・パターン及び（又は）シーケンス、及び他の送信及び割当てパラメータは異なるキャリア４０２に対して変化してもよいことが認識されるべきである。更に、フォーマット、送信レート、及び（又は）ホッピング情報は、特定のキャリア４０２と関連付けられていない独別の制御チャンネルによって及び（又は）他の手段によってアクセス端末に信号で送られてもよく、あるいは他の方法で使用可能となってもよい。
【００５１】
他の実例では、信号を復調するためのより卓越した能力を有する１つの又はそれより多い端末が、連続したスーパーフレームにおける１つのスーパーフレーム内において、又は通信セッション時に、２つの又はそれより多いキャリアでスケジュール（scheduled）されてもよい。更に、このような端末は、通信セッション又はスーパーフレーム時に、リバース・リンク・フィレーム４０８及びフォワード・リンク・フレーム４０４に対して異なるキャリア４０２を利用できてもよい。このような端末は、異なるスーパーフレームにおいて又は通信セッション時に、異なるキャリアでもスケジュールされうる。付加的に及び（又は）代替的に、このような端末は、異なるキャリア４０２で時間的に実質的に同期しているフレームでスケジュールされうる。このようなマルチキャリア・アクセス端末は、所定のキャリア４０２に対するリソースのロードバランシング（load balancing）を提供しかつ全帯域幅４００にわたって統計的な多重化利得（statistical multiplexing gains）を提供するためにスケジュールされてもよい。
【００５２】
幾つかのキャリア４０２にわたって動作するマルチキャリア・アクセス端末をサポートするためには、幾つかの手法が利用されうる。第１の実例では、マルチキャリア・アクセス端末は、その端末が個々的に動作するキャリア４０２のそれぞれに対するスーパーフレーム・プリアンブル及びフォワード・リンク制御チャンネル４０６を復調してもよい。従って、すべての割当て、スケジューリング、電力制御、及び他の適当な動作は、キャリア・バイ・キャリア・ベースでキャリアに対して行われうる。第２の実例では、独別の制御チャンネルは、各キャリア４０２に対する動作パラメータを含んでいてもよく、それにより、アクセス端末が、独別の制御チャンネルによって動作するキャリアのうちの１つ又はそれ以上に対するスーパーフレーム・プリアンブル及びフォワード・リンク制御チャンネル４０６に関する情報を取得できるようにする。更に、付加的な制御チャンネルは、１つの又はそれより多いキャリア４０２に対するスーパーフレーム・プリアンブル、フォワード・リンク制御チャンネル４０６、及びリバース・リンク制御チャンネル４４０のうちの１つ以上を変調しかつ復号するための情報を含んでいてもよい。従って、任意の時点で所定のキャリア４０２に対するスーパーフレーム・プリアンブル、フォワード・リンク制御チャンネル４０６、及び（又は）リバース・リンク制御チャンネル４４０を復号できる。
【００５３】
第３の実例では、すべてのキャリア４０２又はキャリア４０２のグループに対する情報は、単一のキャリア４０２のスーパーフレーム・プリアンブル、フォワード・リンク制御チャンネル４０６、及び（又は）リバース・リンク制御チャンネル３４０に維持されてもよい。この実例では、通信セッションにおける多数のキャリアを利用できるアクセス端末は、単一のキャリアから制御情報を受信しかつ同じキャリア又は異なるキャリアで制御情報を送信してもよい。１つの態様によれば、この機能性のために利用されるキャリアは、予め定められたシーケンス又は他の手段に従って時間的に変更してもよい。第４の実例では、スケジューリングの目的のための割当ては、異なるキャリア４０２からの多数の割当てを構成してもよい。従って、アクセス端末は、多数のキャリア４０２についての個々の割当てを受信し、そして次に、フォワード及びリバース・リンクの両方に対して時間的に重複していてもいなくてもよいフレームに対する完全な割当てを判定するために、それらの割当てを組み合わせてもよい。
【００５４】
特定の非限定的な実例では、帯域幅４００は、２０ＭＨｚであってもよく、そして各キャリア４０２は、帯域幅４００の５ＭＨｚを備えてもよい。更に、各キャリア４０２は、５１２のサブキャリアを含んでもよい。しかし、他の帯域幅４００のサイズ、キャリア４０２のサイズ、及び（又は）キャリア４０２に対するサブキャリアの数が利用されてもよいことが認識されるべきである。例えば、キャリア４０２は、帯域幅の１．２５ＭＨｚ及び１２８のサブキャリアを含んでいてもよい。あるいは、キャリア４０２は、帯域幅の２．５ＭＨｚ及び２５６のサブキャリアを含んでいてもよい。更に、割当てサブキャリアの数は、キャリア４０２間で変化してもよい。キャリア４０２のサイズは、システム内の適用可能な規制実体（applicable regulatory entity）から、適用可能な帯域幅配分及びそれの分割の対象となりうる。更に、１つの又はそれより多いキャリア４０２は、フォワード・リンク・フレーム４０４及び（又は）リバース・リンク・フレーム４０８に対して異なる開始及び（又は）終了時間を有するように互いに対して同期してもよいことが認識されるべきである。このような場合には、制御チャンネル４０６及び（又は）スーパーフレーム・プリアンブルによって与えられるシグナリング（signaling）又は割当てメッセージは、キャリア４０２に対するタイミング情報を通信してもよい。
【００５５】
１つの態様によれば、キャリア４０２におけるＯＦＤＭの１つの又はそれより多い有効サブキャリアはガード・サブキャリア（guard subcarriers）として指定されることができ、かつ指定されたサブキャリアではエネルギーが送信されないように変調されなくてもよい。１つの実例では、スーパーフレーム・プリアンブル及び各フレームにおける指定されたガード・サブキャリアの数は、フォワード・リンク制御チャンネル４０６及び（又は）スーパーフレーム・プリアンブルにおける１つの又はそれより多いメッセージによって与えられうる。他の態様によれば、端末へのオーバーヘッド送信を少なくするために、パケットがマルチキャリア・アクセス端末に対して共同でコード化されてもよい。これは、例えば、たとえパケットのシンボルが異なるキャリア４０２のサブキャリアで送信されるべきあっても、行われてもよい。このようにして、単一の巡回冗長検査が１つの又はそれより多いパケットに対して利用されてもよく、前記パケットからのシンボルを含むいくつかのキャリア４０２での送信が、巡回冗長検査のオーバーヘッド送信（overhead transmissions）を受けないようになされうる。あるいは、アクセスポイントは、所定のキャリア４０２で送信されるべきシンボルだけを所定のパケットに含めることによって、それのパケットをキャリア当りのベース（per-carrier basis）で変調してもよい。１つの実例では、アクセスポイントは、パケット変調の目的のために、あるキャリア４０２を更に一まとめにしてもよい。例えば、アクセスポイントは、単一のパケットにおいて、トップの２つのキャリア４０２からのシンボルを一緒に変調してもよい。
【００５６】
更に、キャリア４０２のそれぞれに対するスケジューラは、ホッピングに対して一様な又は一様でない手法を利用してもよいことが認識されるべきである。例えば、各キャリア４０２に対して、異なるチャンネル・ツリー又はホップ順列が用いられてもよい。更に、各キャリア４０２は、一様な又は一様でない技法及びアルゴリズムに従ってスケジュールされてもよい。例えば、各キャリア４０２は、全体が参考としてここに取り入れらている２００５年１０月２７日に提出された同時係属の米国特許出願第11/261,837号に記載されているようなチャンネル・ツリー及び構造を含んでもよい。
【００５７】
図５Ａは、例えば、種々の態様による多重アクセス無線通信システムのためのフォワード・リンク・フレーム構造５０２を例示する。１つの実例では、フォワード・リンク・フレーム５０２は、１つの制御チャンネル５１０と１つの又はそれより多いデータ・チャンネル５２２とに分割されてもよい。１つの態様によれば、制御チャンネル５１０は、サブキャリアの連続した又は不連続のグループを含むことができる。更に、可変数のサブキャリアが、制御チャンネル５１０を構成することができる。制御チャンネル５１０を構成するサブキャリアの数は、所望の量の制御データ及び（又は）他の適当な観点に応じて割当てられてもよい。他の態様によれば、データ・チャンネル５２２は、データ送信のために一般的に使用可能である。
【００５８】
１つの実例では、制御チャンネル５１０は、１つの又はそれより多いシグナリング・チャンネル（signaling channels）５１２〜５１８を含んでいてもよい。シグナリング・チャンネル５１２〜５１８は、時間的に多重化されたものとしてフォワード・リンク・フレーム５０２に示されているが、シグナリング・チャンネル５１２〜５１８は、異なる直交、準直交、又はスクランブル・コード、及び（又は）時間、コード、及び周波数の任意の組み合わせを用いて多重化されてもよい。１つの実例では、シグナリング・チャンネル５１２〜５１８は、１つの又はそれより多いパイロット・チャンネル５１２及び（又は）５１４を含んでもよい。フォワード・リンク・フレーム５０２がシンボル・レート・ホッピング・モード（例えば、シンボル・レート・ホッピング・モード７２２）で利用される非限定的な実例では、パイロット・チャンネル５１２及び（又は）５１４は、フォワード・リンク・フレーム５０２におけるＯＦＤＭシンボル上に存在していてもよい。従って、そのような実例では、パイロット・チャンネル５１２及び（又は）５１４は、制御チャンネル５１０には存在しなくてもよい。他の実例では、制御チャンネル５１０は、シグナリング・チャンネル５１６及び電力制御チャンネル５１８のうちの１つ又はそれ以上を含んでもよい。１つの実例では、シグナリング・チャンネル５１６は、割当て、アクナレッジメント（acknowledgement）、及び（又は）電力リファレンス（power references）、及びリバース・リンク上におけるデータ、制御及びパイロット又は送信に対する調節を含んでもよい。更に、電力制御チャンネル５１８は、１つのセクタにおけるアクセス端末（例えば、端末１２０）からの送信に基因して無線通信システムにおける種々のセクタ（例えば、システム１００のセクタ１０４）で生成される干渉に関する情報を含みうる。
【００５９】
特定の非限定的な実例では、電力制御チャンネル５１８は、単一のキャリア（例えば、キャリア４０２）だけに存在してもよい。この実例では、すべてのシングルキャリア・アクセス端末は、スケジュールされたキャリア上でスケジュールされることができ、一方、マルチキャリア・アクセス端末は、電力制御のためのスケジュールされたキャリアに同調することができる。従って、１つの態様によれば、単一の電力リファレンスが利用されうる。また、このような態様では、リバース・リンク制御チャンネルがリバース・リンク・データ送信と同じ周波数で単に送信されるだけではないように、マルチキャリア・アクセス端末は、時間を通して、異なるフレーム間でそれのリバース・リンク制御チャンネル（例えば、リバース・リンク制御チャンネル４４０）をホップすることが可能である。この場合には、すべてのキャリアにわたってマルチキャリア・アクセス端末の送信電力を調節して、そのマルチキャリア・アクセス端末によるリバース・リンク送信のためのすべてのキャリアにわたる一様な電力制御を可能にするために、そのマルチキャリア・アクセス端末に対して単一のリファレンスが利用されうる。あるいは、マルチキャリア・アクセス端末は、共通の電力制御チャンネルを有する各キャリア又はキャリアのグループに１つずつ、多数の電力制御ループを必要としてもよい。この場合には、単一のキャリア又は１つのグループのキャリアでの送信が個々のベースで行われてもよい。更に、異なる電力リファレンス及び（又は）バックオフ（back-offs）が、各キャリア又はキャリアの各グループに対して利用されてもよい。
【００６０】
他の態様によれば、フォワード・リンク・フレーム５０２は、フォワード・リンク・フレーム５０２に割当てられた帯域幅のエッジにサブキャリア５２０を更に含むことができる。これらのサブキャリア５０２は、例えば、擬似ガード・サブキャリア（quasi-guard subcarriers）として機能してもよい。上記態様の１つ又はそれより多くによれば、多数の送信アンテナ（例えばベース・ステーション１１０及び（又は）端末１２０における）が１つのセクタに対して送信するために用いられうる場合には、その送信アンテナのそれぞれは、共通のスーパーフレーム・タイミング、スーパーフレーム・インデックス、ＯＦＤＭシンボル特徴、及び（又は）ホップ・シーケンスを共有してもよいことが認識されるべきである。更に、制御チャンネル５１０は、１つの又はそれより多い態様においてデータ伝送と同じ割当てを備えていてもよいことが認識されるべきである。例えば、１つの又はそれより多いデータ伝送がブロック・ホッピングを利用する（例えば、ブロック・ホッピング・モード３２０によって）ならば、類似の又は非類似のサイズのブロックが制御チャンネル５１０に対して割当てられてもよい。
【００６１】
図５Ｂは、種々の態様による多重アクセス無線通信システムのための例示リバース・リンク・フレーム構造５０４を示している。１つの実例では、リバース・リンク・フレーム５０４は、フォワード・リンク・フレームと同様の態様で制御チャンネル５３０、１つの又はそれより多いデータ・チャンネル５４２、及び１つの又はそれより多いエッジ・サブキャリア５４０を含むことができる。他の実例では、データ・チャンネル５４２は、所定のリバース・リンク・フレーム５０４におけるブロック・ホッピング・モード（例えば、ブロック・ホッピング・モード７２０）又はシンボル・レート・ホッピング・モード（例えば、シンボル・レート・ホッピング・モード７２２）に従って動作することができる。更に、データ・チャンネルは、異なるリバース・リンク・フレーム５０４における単一のモードに従って又は異なるリバース・リンク・フレーム５０４に対する異なるモードに従って動作してもよい。更に、制御チャンネル５３０は、リバース・リンク・フレーム５０４に示されているように時間的に多重化されうるシグナリング・チャンネル５３２〜５３８で構成できる。あるいは、シグナリング・チャンネル５３２〜５３８は、異なる直交、準直交、又はスクランブリング・コード、異なる周波数、及び（又は）時間、コード及び周波数の任意の組み合わせを用いて多重化されてもよい。
【００６２】
１つの実例では、制御チャンネル５３０におけるシグナリング・チャンネル５３２〜５３８は、パイロット・チャンネル５３２を含むことができる。パイロット・チャンネル５３２は、１つの実例ではアクセスポイント（例えば、ベース・ステーション１１０）にリバース・リンクを評価させうるパイロットを含むことができる。制御チャンネル５３０はまた、アクセス端末（例えば、端末１２０）に到来するフォワード・リンク・フレーム５０２及び（又は）リバース・リンク・フレーム５０４に対するリソースを要求させるための情報を含むことができる要求チャンネル５３４を含んでもよい。
【００６３】
他の実例では、制御チャンネル５３０は、１つの又はそれより多い端末がチャンネル情報（ＣＱＩ）に対するフィードバックを提供できるリバース・リンク・フィードバック・チャンネル５３６を含むことができる。１つの実例では、１つのアクセス端末によってリバース・リンク・フィードバック・チャンネルに提供されるＣＱＩは、１つの又はそれより多いスケジュールされたモード及び（又は）そのアクセス端末への送信に対するスケジューリング（scheduling）のための使用可能なモードに関係することができる。例示として、ＣＱＩが関係できるモードは、ビームフォーミング（beamforming）、ＳＤＭＡ、プリコーデイング（precoding）、及び（又は）それらの任意適当な組み合わせを含む。他の実例では、制御チャンネル５３０は、アクセス端末による１つの又はそれより多いリバース・リンク伝送（例えば、データ伝送及び（又は）シグナリング伝送）のための電力制御命令を生成させるためのリファレンス（reference）として用いられうる電力制御チャンネル５３８を更に含むことができる。１つの実例では、１つの又はそれより多いフィードバック・チャンネル５３６が、電力制御チャンネル５３８に含まれうる。
【００６４】
図６〜１１を参照すると、無線通信ネットワークにおける信号取得のための方法が例示されている。説明の簡単のために、それらの方法は、一連のアクトとして図示されかつ記述されるが、１つの又はそれより多い実施の形態によれば、幾つかのアクトが、ここに図示されかつ記述される順序とは異なる順序で及び（又は）他のアクトと同時に生じてもよいので、それらの方法は、行為の順序によって限定されないことが理解されかつ認識されるべきである。例えば、当業者は、１つの方法は、状態図のように相互に関係づけられた一連の状態又は事象として代替的に提示されうることを理解しかつ認識するであろう。更に、１つの又はそれより多い実施の形態による方法を実施するためには、図示されたアクトのすべてが必要とされるわけではない。
【００６５】
図６を参照すると、無線通信システム（例えば、システム２００）で取得情報を送信するための方法６００が示されている。方法６００は、例えば、アクセスポイント（例えば、アクセスポイント２１０）及び（又は）アクセスポイント内のアンテナグループ（例えば、アンテナグループ２１２）によって、実行されうる。方法６００は、ブロック６０２で開始し、そこで、システム帯域幅（例えば、帯域幅４００）が複数のキャリア（例えば、キャリア４０２）に分割される。次に、アクセス端末（例えば、アクセス端末２２０）が、ブロック６０４における複数のキャリアの１つ又はそれより多くに割当てられる。方法６００は、ブロック６０６で終了し、そこで、割当てられたキャリアに関連する取得チャンネルを用いて、取得情報がアクセス端末に送信される。取得チャンネルは、例えば、割当てられたキャリアに関連するフォワード・リンク制御チャンネルに含まれうる。更に、取得情報は、１つの又はそれより多い取得パイロット、１次放送チャンネル、及び（又は）２次放送チャンネルを含んでもよい。
【００６６】
図７は、無線通信システム（例えば、システム２００）において取得情報を生成しかつ送信するための方法７００を示す。方法７００は、例えば、ベース・ステーション及び（又は）ベース・ステーション内のアンテナグループによって実行されうる。方法７００は、ブロック７０２で開始し、そこで、スーパーフレーム・プリアンブル（例えば、スーパーフレーム・プリアンブル３１２）のためのシンボルが提供される。提供されるシンボルは、例えば、取得情報、他のセクタ干渉情報、パイロット、及び（又は）特定のシステム・デザインに基づいた他の適切な情報を含むことができる。方法７００は、ブロック７０４に進み、そこで、スーパーフレーム・プリアンブルが送信されるためのキャリアが割当てられる。１つの実例では、この割当ては、ホップ・シーケンス、パターン、又は他の予め定められた割当てスキームに基づくことができる。例えば、システム内の各アクセスポイント及び（又は）セクタは、近隣のアクセスポイント及び（又は）セクタ中のアクセスポイント又はセクタを独自に識別する特定の擬似雑音（ＰＮ）シーケンスを割当てられうる。更に、信号取得のための所要の演算を少なくするために、システムに対するすべての使用可能なＰＮシーケンスは、それぞれＭ２のＰＮシーケンスを含むＭ１の組に配列されうる。特定のアクセスポイント及び（又は）セクタに割当てられるＰＮシーケンスは、ブロック７０４においてキャリア割当てを決定しうるアルゴリズムに入れ込まれうる。１つの実例では、用いられるアルゴリズムは時間で変化してもよい。例えば、このアルゴリズムは、それが用いられるＰＮシーケンスの数又は使用の他の予め定められた数に等しい使用の数の後で変化してもよい。
【００６７】
他の実例では、アクセスポイント識別は、取得信号の一部として送信されてもよく、それは、ブロック７０４においてキャリアが割当てられるスーパーフレーム・プリアンブルの一部であってもよい。アクセス端末は、１つの又はそれより多い受信されたパイロットをスクランブルするため、送信が受信されるアクセスポイントを識別するため、及び（又は）他の適当なアクションを行うために、この識別を用いてもよい。付加的に及び（又は）代替的に、各アクセスポイントは、ウオルシュ・アマダール変換（Walsh-Hadamard transform）を用いることによってアクセス端末が信号取得を効率よく実行できるようにするためにアクセスポイント又はセクタを独自的に識別するウオルシュ・シーケンスに従ってブロック７０４において割当てられた１つの又はそれより多いキャリア上に取得信号を拡散させることができる。ブロック７０４において記述されたアクトを完了すると、方法はブロック７０６で終了し、そこで、予め定められた数のサブキャリアに対する時間領域サンプル（time domain samples）を提供するために、逆フーリエ変換が行われる。ブロック７０６で用いられるサブキャリアの予め定められた数は、ブロック７０４において割当てられるキャリアのサブキャリアの幾つか又は全てに等しくてもよい。
【００６８】
図８は、無線通信システム（例えば、システム２００）において取得情報を生成しかつ送信するための方法８００を示めしている。方法８００は、例えば、ベース・ステーション及び（又は）ベース・ステーション内のアンテナグループによって実行されうる。方法８００は、ブロック８０２で開始し、そこで、スーパーフレーム・プリアンブルに対するシンボルが提供される。提供されるシンボルは、例えば、取得情報、他のセクタ干渉情報、パイロット、及び（又は）特定のシステム・デザインに基づいた他の適切な情報を含むことができる。方法８００は、次に、ブロック８０４に進み、そこで、スーパーフレーム・プリアンブルが送信されうるキャリアの全て又は一部を含むサブキャリア又はトーンのグループに情報が割当てられる。
【００６９】
１つの実例では、この割当ては、ホップ・シーケンス、パターン、又は他の予め定められた割当てスキームに基づくことができる。例えば、システムにおける各アクセスポイント及び（又は）セクタは、近隣のアクセスポイント及び（又は）セクタ中でそのアクセスポイント又はセクタを独自に識別する特定の擬似雑音（ＰＮ）シーケンスを割当てられてもよい。特定のアクセスポイント及び（又は）セクタに割当てられるＰＮシーケンスは、ブロック８０４においてサブキャリア割当てを判定できるアルゴリズムに入れ込まれてもよい。１つの実例では、用いられるアルゴリズムは、時間で変化してもよい。例えば、そのアルゴリズムは、このアルゴリズムが用いられるＰＮシーケンスの長さに等しい数の使用または他の予め定められた数の使用の後で変化してもよい。ブロック８０４で記述されたアクトを完了すと、方法はブロック８０６で終了し、そこで、予め定められた数のサブキャリアに対して時間領域サンプル（time domain samples）を提供するために、逆フーリエ変換（ＩＦＦＴ）が実行される。ブロック８０６で用いられる予め定められた数のサブキャリアは、ブロック８０４で割当てられるキャリアのサブキャリアの幾つかまたは全てに等しくてもよい。
【００７０】
図９を参照すると、無線通信システム（例えば、システム２００）において１つの又はそれより多いキャリア（例えば、キャリア４０２）で通信するための方法９００が示されている。方法９００は、例えば、端末（例えば、アクセス端末２２０）によって実施できる。方法９００は、ブロック９０２で開始し、そこで、アクセスポイント（例えば、アクセスポイント２１０）からの取得情報に対して使用可能なシステム帯域幅（例えば、帯域幅４００）にわたってサーチが行われる。あるいは、取得情報は、アクセスポイント内のアンテナグループ（例えば、アンテナグループ２１２）から受信されてもよい。１つの実例では、ブロック９０２におけるサーチは、使用可能なシステム帯域幅の全てにわたって行われる。あるいは、ブロック９０２においけるサーチは、システム帯域幅内における１つの又はそれより多い予め定められたキャリアにわたって行われてもよい。
【００７１】
次に、方法９００はブロック９０４に進み、そこで、アクセスポイント及び（又は）アンテナグループとの通信のために、１つの又はそれより多い割当てキャリアが、受信された取得情報に少なくとも部分的に基づいて判定される。１つの実例では、取得情報は、ブロック９０２で行われるサーチの結果として受信される。更に、受信さる取得情報は、システム帯域幅内の単一のキャリアで受信されてもよい。この実例では、ブロック９０４で割当てられる１つの又はそれより多いキャリアは、取得が受信されたキャリアを含んでいてもいなくてもよい。ブロック９０４で記述されているアクトを完了すると、方法９００は、ブロック９０６において終了し、そこで、ブロック９０４で割当てられるキャリアの１つ又はそれより多くを用いてアクセスポイントと通信がなされる。
【００７２】
図１０は、無線通信システム（例えば、システム２００）における通信のための情報を取得するための方法１０００を示している。方法１０００は、例えば、端末によって実施されうる。方法１０００は、ブロック１００２で開始し、そこで、使用可能なシステム帯域幅の全て又は実質的に全てにわたって取得信号を検知する試みがなされる。１つの実例では、取得信号は、ベース・ステーション及び（又は）アンテナグループによって、スーパーフレーム・アセンブリ（例えば、スーパーフレーム・アセンブリ３１２）の一部として送信されてもよい。更に、取得信号は、１つのキャリアの全て又は実質的に全て（ガード・サブキャリア５２０及び（又は）５４０を除く全て）にわたってもよい。取得信号が検知されると、方法１０００はブロック１００２に進み、そこで、取得信号が受信されたサブキャリアの位置に基づいて、キャリアが判定される。方法１０００は、次に、更にブロック１００６に進み、そこで、スーパーフレーム・プリアンブルの位置は、到来フレーム（例えば、フレーム３１４）に対して、ホップ・シーケンスに基づいて判定される。１つの実例では、ホップ・シーケンスは、ブロック１００２で検知される取得信号に含まれるベース・ステーション識別に基づいて判定できる。
【００７３】
方法１０００は、次に、ブロック１００８に進むことができ、そこで、ブロック１００４において判定されるキャリア及び（又は）ブロック１００６において判定されるスーパーフレーム・プリアンブルに基づいて、アクセス要求が通信される。１つの実例では、このアクセス要求は、通信が多数のキャリアで同時に（例えば、方法１０００を実行する端末によって）行われうるかどうかに対応する直交又はスクランブリング・コードで変調されうる。この直交又はスクランブリング・コードは、予め準備されても又はブロック１００２において検知される取得情報と共に送られてもよい。
【００７４】
ブロック１００８において通信されるアクセス要求に応答して、そのアクセス要求を確認する及び（又は）初期リバース・リンク・サブキャリア又はサブキャリアのブロックを割当てるアクセス許可メッセージがブロック１０１０において受信されうる。１つの実例では、ブロック１０１０で受信されるアクセス許可は、１つの又はそれより多いリバース・リンク送信（例えば、ブロック１０１２及び（又は）１０１８で行われる送信）とアクセスポイントのリバース・リンク・タイミングとのアラインメント（alignment）を容易にすることができるタイミング調節を含んでいてもよい。ブロック１０１０で受信される初期割当てはまた、シンボル・レート・ホッピング・モード（例えば、シンボル・レート・ホッピング・モード３２２）又はブロック・ホッピング・モード（例えば、ブロック・ホッピング・モード３２０）で動作するための命令、フォワード・リンク及びリバース・リンクの両方の通信のために用いられるべき１つの又はそれより多いサブキャリアサブキャリアに対する割当て、及び（又は）他のタイミング及びスケジューリング・パラメータを含んでもよい。ブロック１０１０においてアクセス許可メッセージを受信すると、方法１０００を実施する実在は、ブロック１０１０において受信される第１の割当てに従ってブロック１０１２において通信してもよい。
【００７５】
次に、１つの又はそれより多い補充割当て（supplemental assignments）がブロック１０１４において割当てられてもよい。ブロック１０１４で記述されたアクトは、任意であり、方法１０００に関連して実行される必要はないことが認識されるべきである。従って、方法１０００は、ブロック１０１２又は１０１４の後でブロック１０１６に進んでもよく、そこで、リバース・リンク・サブキャリアの第２の割当てが受信される。１つの実例では、通信が多数のキャリアで同時に行われうることがブロック１００６において確立されるならば、ブロック１０１６で受信される第２の割当ては、チェンジ・キャリア・メッセージ（change carrier message）を含むことができかつ次の又は現在の割当てが該当するキャリアを識別できる。あるいは、チェンジ・キャリア・メッセージは、ブロック１０１６で受信される第２の割当て及び（又は）ブロック１０１４で受信される任意の補充割当てに先立ってそれらの割当てとは独立に送信されてもよい。更に、チェンジ・キャリア・メッセージは、１つの又はそれより多いデータ・パケットとしてフォワード・リンクで送信されてもよい。そのデータ・パケットは、チェンジ・キャリア・メッセージが復調されたことを示すために、方法１０００を実行する実在によって確認されうる。他の代案では、ブロック１０００で受信されるアクセス許可は、チェンジ・キャリア情報を含んでもよい。この情報は、各キャリアが別々にアクセスされる場合には、初期ベースで又はビャリア・バイ・キャリア・ベースで提供されてもよい。
【００７６】
１つの態様によれば、ブロック１０１６で受信される第２の割当ては、個別にデコードされうる異なったキャリアに対する多数の割当てを含んでもよい。あるいは、第２の割当ては、単一のキャリアによって受信される１つより多いキャリアに対する共同割当て（joint assignment）を含んでもよい。他の態様によれば、キャリアのタイミング及び他の特性に関する情報は、新しくスケジュールされたキャリアに対する動作を改善するために、第２の割当てを与えられてもよい。チェンジ・キャリア・メッセージを送るために１つの又はそれより多いデータ・パケットが利用される場合には、それらのデータ・パケットは、新しくスケジュールされたキャリアに対するあるパラメータを含んでもよく、付加的なリソースが新しいキャリアでの適切な通信のための情報を提供するようにできる。あるいは、各キャリアは、他のキャリアでの通信を許容するための、スーパーフレーム・プリアンブル及び（又は）他のキャリアの制御チャンネルの復調を許容するための情報、又は他の適当な情報を１つの又はそれより多くのスーパーフレーム又は制御チャンネル（例えば、制御チャンネル４０６及び（又は）４４０）に含んでもよい。更に、新しいキャリアに対するパラメータを含む別途のメッセージが（例えば、キャリアのための制御チャンネル４０６及び（又は）４４０で）受信されてもよい。第２の割当てがブロック１０１６で受信されると、方法１０００はブロック１０１８で終了し、そこで、第２の割当てに従って、通信が終了される。１つの実例では、割当てられるキャリアに対応する取得情報が適切に復調されることができない（例えば、ブロック１００４において）場合には、方法１０００を実施する実在は、他のキャリアに同調することができる。
【００７７】
図１１は、無線通信システム（例えば、システム２００）において通信のための情報を取得するための方法１１００を示している。方法１１００は、例えば、端末によって実施されうる。方法１１００は、ブロック１１０２で開始し、そこで、使用可能なシステム帯域幅の全て又は実質的に全てにわたって取得情報を検知する試みがなされる１つの実例では、取得情報は、ベース・ステーション及び（又は）アンテナグループによって、スーパーフレーム・プリアンブル（例えば、スーパーフレーム・プリアンブル３１２）の一部として送信されてよい。更に、取得信号は、キャリアの全て又は実質的に全て（ガード・サブキャリア５２０及び（又は）５４０を除く全て）にわたって（span）もよい。取得シンボルをブロック１１０２で検知すると、方法はブロック１１０４に進み、そこで、取得信号が送信されたセクタ（例えば、セクタ１０４）が、キャリアにおける取得信号のために用いられるキャリア又はスーパーフレーム・プリアンブルに割当てられるサブキャリアのさらに大きなグループの位置に基づいて判定される。１つの実例では、ブロック１１０４で判定されるセクタは、システムのベース・ステーション内のアンテナグループに対応してもよい。更に、セクタは、少なくとも部分的に、セクタＩＤのようなセクタのための識別子を判定することによって、セクタがステップ１１０４において判定されてもよい。最後に、方法１１００は、ブロック１１０６において終了し、そこで、放送情報が、第１の放送チャンネル及び（又は）第２の放送チャンネルで取得される。しかし、ブロック１１０６に記載されたアクトは、随意であり、例えば、ステイッキーな割当て（sticky assignment）が存在する場合、又は、方法１１００を実施する実在が既にスケジュールされている場合には、省略されてもよいことが認識されるべきである。
【００７８】
ここで図１２を参照すると、ここに説明される１つの又はそれより多い実施の形態が機能しうる例示の無線通信システム１２００を示すブロック図が提供される。１つの実例では、システム１２００は、送信機システム１２１０及び受信機システム１２５０を含む多入力、多出力（ＭＩＭＯ）システムである。しかし、送信機システム１２１０及び（又は）受信機システム１２５０は、例えば、多数の送信アンテナ（例えば、ベース・ステーション上の）が１つの又はそれより多いシンボル・ストリームを単一アンテナ装置（例えば、モバイル・ステーション）に送信しうる多入力、単一出力システムにも適用されうることが認識されるべきである。更に、ここに記載された送信機システム１２１０及び（又は）受信機システム１２５０の態様は、単一出力、単一入力アンテナ・システムに関連して利用されうることが認識されるべきである。
【００７９】
１つの態様によれば、いくつかのデータ・ストリームに対するトラフィック・データ（traffic data）が、送信機システム１２１０においてデータ・ソース１２１０から送信（ＴＸ）データ・プロセッサ１２１４に提供される。１つの実例では、各データ・ストリームは、各送信アンテナ１２２４によって送信されうる。更に、ＴＸデータ・プロセッサ１２１４は、コード化データを提供するために書くデータ・ストリームに対して選択された特定のコード化スキームに基づいて、各データ・ストリームに対するトラフィック・データをフォーマット化し、コード化し、そしてインタリーブ（interleave）することができる。１つの実例では、各データ・ストリームに対するコード化データは、ＯＦＤＭ技法を用いて、パイロット・データで多重化されてもよい。パイロット・データは、例えば、公知の態様で処理される公知のデータ・パターンであってもよい。更に、パイロット・データは、チャンネル・レスポンスを評価するために、受信機システム１２５０で用いられてもよい。送信機システム１２１０では、各データ・ストリームに対する多重化パイロット及びコード化データが、変調シンボルを提供するために、各データ・ストリームに対して選択された特定の変調スキーム（例えば、ＢＰＳＫ、ＱＳＰＫ、Ｍ−ＰＳＫ，又はＭ−ＱＡＭ）に基づいて変調される（すなわち、シンボル・マップされる（symbol mapped））ことができる。１つの実例では、各データ・ストリームに対するデータ・レート、コード化、及び変調は、プロセッサ１２３０で実行される及び（又は）プロセッサ１２３０によって提供される命令によって判定されうる。
【００８０】
[0001]      Next, modulation symbols for all data streams can be provided to a TX processor 1220, which may further process the modulation symbols (e.g., for OFDM).  
次に、全てのデータ・ストリームに対する変調シンボルは、ＴＸプロセッサ１２２０に提供されてよく、そのプロセッサは変調シンボル（例えば、ＯＦＤＭに対する）を更に処理してもよい。TX MOMOプロセッサ１２２０は、ＮＴの変調シンボル・ストリームをＮＴの送信機（ＴＭＴＲ）１２２２ａ〜１２２２ｔに提供してもよい。１つの実例では、各送信機１２２２は、１つの又はそれより多いアナログ信号を提供するために、各シンボル・ストリームを受信しかつ処理できる。各送信機１２２２は、ＭＩＭＯチャンネルでの送信に適した変調信号を提供するために、そのアナログ信号を更に調整する（例えば、増幅する、フィルタにかける、アップコンバートする）ことができる。従って、送信機１２２２ａ〜１２２２ｔからのＮＴの変調信号はそれぞれＮＴのアンテナ１２２４ａ〜１２２４ｔから送信されうる。
【００８１】
他の態様によれば、送信される変調信号は、受信機シシテム１２５０においてＮＲのアンテナ１２５２ａ〜１２５２ｒによって受信されうる。各アンテナ１２５２からの受信信号は、各受信機（ＲＣＶＲ）１２５４に提供さうれうる。１つの実例では、各受信機１２５４は、各受信信号を調整する（例えば、フィルタにかける、増幅する、及びダウンコンバートする）ことができ、サンプルを提供するために、その調整された信号をデジタル化することができ、そして対応する「受信された」（“received”）シンボル・ストリームを提供するためにそれらのサンプルを処理する。RX MIMO／データ・プロセッサ１２６０は、ＮＴの「検知された」（“detected”）シンボル・ストリームを提供するための特定の受信機処理技法に基づいてＮＲの受信機１２５４からのＮＲの受信シンボル・ストリームを受信しかつ処理することができる。１つの実例では、各検知されたシンボル・ストリームは、対応するデータ・ストリームに対して送信された変調シンボルの推定であるシンボルを含むことができる。ＲＸプロセッサ１２６０は、対応するデータ・ストリームに対するトラフィック・データを回復するために、少なくとも部分的に、各検知されたシンボル・ストリームを復調し、デインタリーブ（deinterleaving）し、そしてデコードすることによって各シンボル・ストリームを処理することができる。従って、ＲＸデータプロセッサ１２１８による処理は、送信機システム１２１０においてＴＸ ＭＩＭＯプロセッサ１２２０及びＴＸデータ・プロセッサ１２１４によって行われる処理に対して補完的であってもよい。
【００８２】
他の実例では、ＲＸプロセッサ１２６０は、それが同時に復調しうるサブキャリアの数を制限されてもよい。例えば、ＲＸプロセッサ１２６０は、５ＭＨｚにおける５１２のサブキャリア、１．２５ＭＨｚにおける１２８のサブキャリア、又は２．５ＭＨｚにおける２５６のサブキャリアに限定されてもよい。この限定は、例えば、ＲＸプロセッサ１２６０が動作しうるサンプル・レート、ＦＦＴに対して使用可能なメモリ、及び（又は）復調のために使用可能な他の機能によって定義されうるＲＸプロセッサ１２６０のＦＦＴ範囲の関数であってもよい。受信機システム１２５０の費用は、利用されるサブキャリアの数の増加に伴って増加しうる。１つの態様によれば、ＲＸプロセッサ１２６０によって生成されるチャンネル・レスポンス推定は、受信機における空間／時間処理を行うため、電力レベルを調節し、変調レート又はスキームを変更するため、及び（又は）他の適切な操作のために用いられうる。更に、ＲＸプロセッサ１２６０は、例えば、検知されるシンボル・ストリームの信号対雑音及び干渉比（SNRs）のようなチャンネル特性を更に推定してもよい。ＲＸプロセッサ１２６０は、推定チャンネル特性をプロセッサ１２７０に提供することができる。１つの実例では、ＲＸプロセッサ１２６０及び（又は）プロセッサ１２７０は、システムに対する「動作」（“operating”）ＳＮＲの推定を更に得ることができる。プロセッサ１２７０は、通信リンク及び（又は）受信データ・ストリームに関する情報を備えうるチャンネル状態情報（ＣＳＩ）を提供することができる。この情報は、例えば、動作ＳＮＲを含んでもよい。ＣＳＩは、ＴＸデータ・プロセッサ１２７８によって処理され、変調器１２８０によって変調され、送信機１２５４ａ〜１２５４ｒによって調整され、そして送信機システム１２１０に送信されうる。
【００８３】
送信機システム１２１０では、受信機システ１２５０からの変調信号はアンテナ１２２４によって受信され、受信機１２２２によって調整され、復調器１２４０によって復調され、そして受信機システム１２５０によってレポートされるＣＳＩを回復するために、ＲＸデータ・プロセッサによって処理されうる。１つの実例では、報告されるＣＳＩは、プロセッサ１２３０に提供され、そしてデータ・レート（data rates）ならびに１つのまたはそれより多いデータ・ストリームに対して用いられるべきコード化及び変調スキームを判定するために用いられうる。判定されるコード化及び変調スキームは、量子化のため及び（又は）受信機システム１２５０への後の送信での使用のために送信機１２２２に提供されうる。付加的に及び（又は）代替的に、報告されるＣＳＩは、ＴＸデータ・プロセッサ１２１４及びＴＸ ＭＩＭＯプロセッサ１２２０に対する種々の制御を生成するために、プロセッサ１２３０によって使用されうる。
【００８４】
１つの実例では、送信機システム１２１０におけるプロセッサ１２３０及び受信機システム１２５０におけるプロセッサ１２７０は、それらの各システムにおける動作を指示する。更に、送信機システム１２１０におけるメモリ１２３２及び受信機システム１２５０におけるメモリ１２７２は、それぞれ、プロセッサ１２３０及び１２７０によって用いられるプログラム・コード及びデータに対する記憶を提供しうる。更に、受信機システム１２５０では、種々の処理技法が、ＮＴの送信シンボル・ストリームを指示するようにＮＲの受信信号を処理するために用いられてもよい。これらの受信機処理技法は、等化技法（equalization techniques）とも呼ばれうる空間的及び空間・時間受信機処理技法、及び（又は）「連続干消去」又は「連続消去」受信機処理技法とも呼ばれうる「連続ゼロ化／等化及び干渉消去受信機処理技法」（“successive nulling/equalization and interference cancellation” receiver processing techniques）を含むことができる。
【００８５】
図１３は、ここで記述される種々の態様に従って取得情報の生成及び送信を調整するシステム１３００のブロック図である。１つの実例では、システム１３００は、ベース・ステーション又はアクセスポイント１３０２を含む。図示されているように、アクセスポイント１３０２は、受信（Ｒｘ）アンテナ１３０６により１つの又はそれより多いアクセス端末１３０４から信号を受信しかつ送信（Ｔｘ）アンテナ１３０８により１つの又はそれより多いアクセス端末１３０４に送信することができる。
【００８６】
更に、アクセスポイント１３０２は、受信アンテナ１３０６から情報を受信する受信機１３１０を備えうる。１つの実例では、受信機１３１０は、受信された情報を復調する復調器（Ｄｅｍｏｄ）１３１２と動作的に関連づけられうる。復調されたシンボルは、プロセッサ１３１４によって解析されうる。プロセッサ１３１４は、コード・クラスタ（code clusters）、アクセス端末割当て、それに関連したルックアップ・テーブル、ユニーク・スクランブリング・シーケンス（unique scrambling sequences）に関連した情報、及び（又は）他の適当なタイプの情報を記憶できるメモリ１３１６に結合されうる。１つの実例では、アクセスポイント１３０２は、方法６００、７００、８００、及び（又は）他の適当な方法を実行するためにプロセッサ１３１４を用いることができる。アクセスポイント１３０２はまた、送信機１３２０によって送信アンテナ１３０８経由で１つの又はそれより多いアクセス端末１３０４に送信するための信号を多重化できる変調器１３１８を含んでもよい。
【００８７】
図１４は、ここで記述される種々の態様による無線通信環境における信号取得を調整するシステム１４００のブロック図である。１つの実例では、システム１４００は、アクセス端末１４０２を含む。図示されているように、アクセス端末１４０２は、１つの又はそれより多いアクセスポイント１４０４から信号を受信しかつアナテナ１４０８により１つの又はそれより多いアクセスポイント１４０４に送信できる。更に、アクセス端末１４０２は、アンテナ１４０８から情報を受信する受信機１４１０を備えうる。１つの実例では、受信機１４１０は、受信された情報を復調する復調器（Ｄｅｍｏｄ）に動作的に関連づけられうる。復調されたシンボルは、プロセッサ１４１４によって解析されうる。プロセッサ１４１４は、アクセス端末１４０２に関連したデータ及び（又は）プログラム・コードを記憶できるメモリ１４１６に結合されうる。更に、アクセス端末１４０２は、方法９００、１０００、１１００、及び（又は）他の適当な方法を実行するためにプロセッサ１４１４を用いることができる。アクセス端末１４０２はまた、送信機１４２０によりアンテナ１４０８経由で１つの又はそれより多いアクセスポイント１４０４に送信するための信号を多重化できる変調器１４１８を含んでもよい。
【００８８】
図１５は、無線通信システム（例えば、システム２００）における取得情報の送信を容易にする装置１５００を例示する。装置１５００は、プロセッサ、ソフトウエア、又はそれらの組み合わせ（例えば、ファームウエア）によって実行される機能を表す機能ブロックでありうる機能ブロックを含んで提示されていることが認識されるべきである。装置１５００は、アクセスポイント（例えば、アクセスポイント２１０）に関連して実装されることができ、かつシステム帯域幅（例えば、帯域幅４００）を複数のキャリア（例えば、キャリア４０２）１５０２に分割するためのモジュールを組むことができる。１つの実例では、装置１５００は、アクセス端末（例えば、アクセス端末２２０）を１つの又はそれより多いキャリア１５０２に割当てるためのモジュール及び１つの又はそれより多いキャリア１５０６を用いて取得情報をそのアクセス端末に送信するためのモジュールを更に含みうる。
【００８９】
図１６は、無線通信システム（例えば、システム２００）における通信を容易にする装置１６００を例示する。装置１６００は、プロセッサ、ソフトウエア、又はそれらの組み合わせ（例えば、ファームウエア）によって実行される機能を表す機能ブロックでありうる機能ブロックを含んで提示されていることが認識されるべきである。装置１６００は、アクセスポイント（例えば、アクセスポイント２２０）に関連して実装されることができ、かつシステム帯域幅（例えば、帯域幅４００）にわたってアクセスポイント（例えばアクセスポイント２１０）からの取得情報をサーチするためのモジュールを含みうる。１つの実例では、アクセスポイント１６０４との通信のために１つの又はそれより多い割当てられたキャリア（例えば、キャリア４０２）を判定するためのモジュール及び１つの又はそれより多い割当てられたキャリア１６０６を用いてアクセスポイントと通信するためのモジュールを更に含んでよい。
【００９０】
ここに説明された実施の形態は、ハードウエア、ソフトウエア、ファームウエア、ミドルウエア、マイクロコード、又はそれらの任意の組み合わせによって実装されうることが理解されるべきである。システム及び（又は）方法がソフトウエア、ファームウエア、ミドルウエア又はマイクロコード、プログラム・コード又はコード・セグメント（code segments）で実装される場合には、それらは、記憶コンポーネントのような機械可読媒体に記憶されてもよい。コード・セグメント（code segment）は、手順、機能、サブプログラム、プログラム、ルーチン、サブルーチン、モジュール、ソフトウエア・パッケージ、クラス、又は命令の任意の組み合わせ、データ構造、又はプログラム・ステートメントを表してもよい。コード・セグメントは、情報、データ、引数、パラメータ、又はメモリ内容を送る及び（又は）受信することにより他のコード・セグメント又はハードウエア回路に結合されてもよい。情報、引数、パラメータ、データ、等は、メモリ・シェアリング（memory sharing）、メッセージ・パッシング（message passing）、トークン・パッシング（token passing）、ネットワーク送信、等を含む任意適当な手段を用いて、送られ、転送され、又は送信されうる。
【００９１】
ソフトウエア実装のために、ここに記述される技法は、ここに記述される機能を実行するモジュール（例えば、手順、機能、等）で実装されうる。ソフトウエア・コードは、メモリ・ユニットに記憶され、そしてプロセッサによって実行されうる。メモリ・ユニットは、プロセッサ内又はプロセッサの外で実装されてもよく、どちらの場合にも、それは、技術的に公知の種々の手段でプロセッサと通信的に結合されうる。
【００９２】
上述されたことは、１つの又はそれより多い実施の形態の実例を含む。もちろん、上記の実施の形態を記述する目的のためにコンピーネント又は方法のあらゆる考えられうる組み合わせを記述することは可能ではないが、当業者は、種々の実施の形態の他の多くの組み合わせ及び順列が可能であることを認めることができる。従って、記述された実施の形態は、添付請求項の精神及び範囲に入る全ての変更、修正及び変形を包含することを意図されている。更に、「含む」という用語が詳細な説明又は請求項で用いられている限り、この用語は、請求項において移行語として用いられる場合には、「備える」という用語が解釈されるのと同様に包括的であると意図される。更に、詳細な説明又は請求項で用いられる「又は」（“or”）という用語は、「非排他的ＯＲ」（“non-exclusive or“）という意味である。
【図面の簡単な説明】
【００９３】
【図１】ここに提示された種々の態様による無線多重アクセス通信システムを例示する。
【図２】ここに記述された種々の態様による無線通信環境における信号取得を容易にするシステムのブロック図である。
【図３Ａ】種々の態様による多重アクセス無線通信システムのための例示スーパーフレーム構造を例示する。
【図３Ｂ】種々の態様による多重アクセス無線通信システムのための例示スーパーフレーム構造を示す。
【図４】種々の態様による多重アクセス無線通信システムのための例示チャンネル構造を示す。
【図５Ａ】多重アクセス無線通信システムのための例示フォワード・リンク・フレーム構造（forward link frame structure）を示す。
【図５Ｂ】多重アクセス無線通信システムのための例示リバース・リンク・フレーム構造（reverse link frame structure）を示す。
【図６】無線通信システムにおいて取得情報を送信するための方法の流れ図である。
【図７】無線通信システムにおいて取得情報を生成しかつ送信するための方法の流れ図である。
【図８】無線通信システムにおいて取得情報を生成しかつ送信するための方法の流れ図である。
【図９】無線通信システムにおいて１つの又はそれより多いキャリア上で通信するための方法の流れ図である。
【図１０】無線通信システムにおいて通信のための情報を取得するための方法の流れ図である。
【図１１】無線通信システムにおいて通信のための情報を取得するための方法の流れ図である。
【図１２】ここに記述された１つの又はそれより多い実施の形態が機能しうる例示無線通信システムを示すブロック図である。
【図１３】種々の態様による取得情報の生成及び送信を調整するシステムのブロック図である。
【図１４】種々の態様による無線通信環境における信号取得を調整するシステムのブロック図である。
【図１５】種々の態様による無線通信システムにおける取得情報の送信を容易にする装置のブロック図である。
【図１６】種々の態様による無線通信システムにおける取得情報の送信を容易にする装置のブロック図である。
【図１】
2009544178.tif 000003
【図２】
2009544178.tif 000004
【図３Ａ】
2009544178.tif 000005
【図３Ｂ】
2009544178.tif 000006
【図４】
2009544178.tif 000007
【図５Ａ】
2009544178.tif 000008
【図５Ｂ】
2009544178.tif 000009
【図６】
2009544178.tif 000010
【図７】
2009544178.tif 000011
【図８】
2009544178.tif 000012
【図９】
2009544178.tif 000013
【図１０】
2009544178.tif 000014
【図１１】
2009544178.tif 000015
【図１２】
2009544178.tif 000016
【図１３】
2009544178.tif 000017
【図１４】
2009544178.tif 000018
【図１５】
2009544178.tif 000019
【図１６】
2009544178.tif 000020
【国際調査報告】
2009544178.tif 000021
2009544178.tif 000022
2009544178.tif 000023
2009544178.tif 000024
2009544178.tif 000025